(57)【要約】【課題】  網点画像を構成する網点画線部の色を、目標とする第１の色の画素と、第１の色とは色調が異なる第２の色の画素とで構成するとともに階調値に応じて画素数調整値を用いて第１または第２の色の画素数を調整して色調整を行う場合に、第１の色、第２の色、及び、第１または第２の色の画素数を調整するための画素数調整値を容易に求めることが可能で、ＣＭＹグレーにおいて高精度な色調整を行うこと。【解決手段】  印刷して得られる、網点画線部の各色のベタ及び中間色の表色系の値、及び、記録媒体の色の表色系の値と、面積比テーブルとを用いて、網点画線部の各色を構成する第１の色の画素（画素ａ）と第２の色の画素（画素ｂ）との表色系の値とを求めるとともに、画素数調整値を求めてから、カラーチャート出力し、ＣＭＹグレーの色調が合うように画素数調整値を補正するようにした。【選択図】      図１１
2006340222.tif 000002
【特許請求の範囲】
【請求項１】
少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整して再現する色調整方法であって、
前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルを予め格納する段階と、
前記印刷して得られる、前記網点画線部の各色のベタの表色系の値、前記網点画線部の各色の中間色の表色系の値、及び、前記記録媒体の色の表色系の値を取得する段階と、
前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める段階と、
前記複数の色版の各色の前記階調値の組み合わせで示される複数の色について、前記求めた第１の色の画素と前記第２の色の画素とで構成し、さらに、前記求めた画素数調整値に基づいて前記第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する段階と、
前記補正された画素数調整値を前記第２の色の画素数の調整に用いる段階とを含むことを特徴とする色調整方法。
【請求項２】
前記画素数調整値を求める段階は、
前記複数の色版の各色について、前記求めた表色系の値となる前記第１の色の画素、前記第２の色の画素で構成する各色の中間色の濃度と前記取得した各色の中間色の濃度とから、前記取得した各色の中間色の階調値を入力値とし、前記取得した各色の中間色の濃度となる前記求めた表色系の値となる前記第１の色の画素、前記第２の色の画素で構成する各色の中間色の階調値を出力値として関連付けた第１の補正特性を求める段階と、
前記第１の補正特性に基づいて前記画素数調整値を求める段階とを含み、
前記画素数調整値を補正する段階は、
前記複数の色についての前記階調値の組み合わせにそれぞれ対応する表色系の値を関連付けた第１の参照テーブルを作成する段階と、
前記第１の参照テーブルに基づいて、複数の表色系の値のそれぞれの表色系の値に、該表色系の値で示される色に対応する階調値の組み合わせを関連付けた第２の参照テーブルを作成する段階と、
前記第２の参照テーブルを用いて、前記グレーの表色系の値に対応するＣ、Ｍ及びＹ階調値の組み合わせを求めて、前記グレーを前記印刷するときのＣ、Ｍ及びＹの階調値のそれぞれを入力値とし、該求めた組み合わせのＣ、Ｍ及びＹのそれぞれの階調値を出力値として関連付けたＣＭＹそれぞれについての第２の補正特性を求める段階と、
前記求めたＣＭＹそれぞれについての第２の補正特性に基づいて、ＣＭＹそれぞれについての前記画素数調整値を補正する段階とを含む請求項１に記載の色調整方法。
【請求項３】
前記網点画線部の各色は、前記複数の色版の中の１つの版の色の１次色、及び、少なくとも２つの版の色が重ねられた色の多次色を含み、
前記第１の色の表色系の値、及び、前記第２の色の表色系の値を求める段階は、前記１次色と多次色について求める段階を有し、
前記１次色について求める段階は、
前記網点画線部の各色の前記第１の色の表色系の値を前記取得した各色のベタの表色系の値として求める段階と、
前記網点画線部の各１次色についての前記第２の色の表色系の値を、前記各１次色についての前記取得した各色の中間色の表色系の値、前記各１次色についての前記取得した各色のベタの表色系の値、及び、前記取得した記録媒体の色の表色系の値と前記各１次色についての前記面積比テーブルとを用いて求める段階とを含み、
前記多次色について求める段階は、
前記求めた前記画素数調整値に基づいて、前記面積比テーブルの面積比を補正する段階と、
前記網点画線部の各多次色についての前記第２の色の表色系の値を、前記各多次色についての前記取得した各色の中間色の表色系の値、前記取得した各色のベタの表色系の値、及び、前記取得した記録媒体の色の表色系の値と前記各多次色についての前記補正された前記面積比テーブルとを用いて求める段階とを含む請求項１または請求項２に記載の色調整方法。
【請求項４】
前記多次色についての前記第２の色の表色系の値は、重ねられた色数が少ない低次から順に、既に求められている第２の色の表色系の値を用いつつ求められる請求項３に記載の色調整方法。
【請求項５】
前記第２の色の表色系の値は、前記網点画線部の各色の中間色を示す網点画像を構成する網点画線部の各色についての前記第１の色の表色系の値、前記第２の色の表色系の値、及び、前記記録媒体の色の表色系の値とそれぞれの色に対応する前記面積比テーブルに示される面積比との積をそれぞれ加算した合計値が前記取得した各色の中間色の表色系の値となるときの値である請求項１乃至請求項４のいずれかに記載の色調整方法。
【請求項６】
前記面積比テーブルは、前記網点画線部の各色の複数段階の中間色について前記面積比を示し、
前記取得される各色の中間色の表色系の値は、前記複数段階の中間色についてのものであり、
前記第２の色の表色系の値は、前記合計値と前記取得した各色の中間色の表色系の値との誤差を求め、前記複数段階の中間色について、前記誤差が最も小さくなるように求められる請求項５に記載の色調整方法。
【請求項７】
前記第２の色の表色系の値を求める際に用いる各色についての表色系の値は、ＸＹＺ表色系の値である請求項１乃至請求項６のいずれかに記載の色調整方法。
【請求項８】
前記第１の色の画素は、前記網点画像を構成する網点画線部の各色の領域の中心部に配置され、
前記第２の色の画素は、前記網点画像を構成する網点画線部の各色の領域の周縁部に配置される請求項１乃至請求項７のいずれかに記載の色調整方法。
【請求項９】
少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整し、各画素の色に応じて複数の基本色の出力強度を変化させて、再現するようにカラー画像を形成するカラー画像形成方法であって、
前記複数の基本色の出力強度と表色系の値との間の対応関係を示す第３の参照テーブルを予め格納する段階と、
前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルを予め格納する段階と、
前記印刷して得られる、前記網点画線部の各色のベタの表色系の値、前記網点画線部の各色の中間色の表色系の値、及び、前記記録媒体の色の表色系の値を取得する段階と、
前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める段階と、
前記取得した記録媒体の色の表色系の値、前記求められた第１の表色系の値、及び、第２の色の表色系の値と前記参照テーブルとにより、前記記録媒体の色、前記第１の色、及び、第２の色に対応する前記複数の基本色の出力強度の組み合わせを求めカラーチャンネルテーブルを生成する段階と、
前記複数の色版の各色の前記階調値の組み合わせで示される複数の色について、前記求めた第１の色の画素と前記第２の色の画素とで構成し、さらに、前記求めた画素数調整値に基づいて前記第１または第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する段階と、
前記補正された画素数調整値を前記第１または第２の色の画素数の調整に用いる段階と、
前記生成したカラーチャンネルテーブルに基づいて、各画素の色に応じて複数の基本色の出力強度を変化させてカラー画像を形成する段階とを含むことを特徴とするカラー画像形成方法。
【請求項１０】
前記複数の基本色は、シアン（Ｃ）、マゼンタ（Ｍ）、及びイエロー（Ｙ）の３色であり、
前記参照テーブルは、前記シアン（Ｃ）、マゼンタ（Ｍ）、及びイエロー（Ｙ）のそれぞれの出力強度を段階的に変化させた各組み合わせについての表色系の値が示されている請求項９に記載のカラー画像形成方法。
【請求項１１】
前記画素数調整値を求める段階は、
前記複数の色版の各色について、前記求めた表色系の値となる前記第１の色の画素、前記第２の色の画素で構成する各色の中間色の濃度と前記取得した各色の中間色の濃度とから、前記取得した各色の中間色の階調値を入力値とし、前記取得した各色の中間色の濃度となる前記求めた表色系の値となる前記第１の色の画素、前記第２の色の画素で構成する各色の中間色の階調値を出力値として関連付けた第１の補正特性を求める段階と、
前記第１の補正特性に基づいて前記画素数調整値を求める段階とを含み、
前記画素数調整値を補正する段階は、
前記複数の色についての前記階調値の組み合わせにそれぞれ対応する表色系の値を関連付けた第１の参照テーブルを作成する段階と、
前記第１の参照テーブルに基づいて、複数の表色系の値のそれぞれの表色系の値に、該表色系の値で示される色に対応する階調値の組み合わせを関連付けた第２の参照テーブルを作成する段階と、
前記第２の参照テーブルを用いて、前記グレーの表色系の値に対応するＣ、Ｍ及びＹ階調値の組み合わせを求めて、前記グレーを前記印刷するときのＣ、Ｍ及びＹの階調値のそれぞれを入力値とし、該求めた組み合わせのＣ、Ｍ及びＹのそれぞれの階調値を出力値として関連付けたＣＭＹそれぞれについての第２の補正特性を求める段階と、
前記求めたＣＭＹそれぞれについての第２の補正特性に基づいて、ＣＭＹそれぞれについての前記画素数調整値を補正する段階とを含む請求項９または請求項１０に記載のカラー画像形成方法。
【請求項１２】
前記網点画線部の各色は、前記複数の色版の中の１つの版の色の１次色、及び、少なくとも２つの版の色が重ねられた色の多次色を含み、
前記第１の色の表色系の値、及び、前記第２の色の表色系の値を求める段階は、前記１次色と多次色について求める段階を有し、
前記１次色について求める段階は、
前記網点画線部の各色の前記第１の色の表色系の値を前記取得した各色のベタの表色系の値として求める段階と、
前記網点画線部の各１次色についての前記第２の色の表色系の値を、前記各１次色についての前記取得した各色の中間色の表色系の値、前記各１次色についての前記取得した各色のベタの表色系の値、及び、前記取得した記録媒体の色の表色系の値と前記各１次色についての前記面積比テーブルとを用いて求める段階とを含み、
前記多次色について求める段階は、
前記求めた前記画素数調整値に基づいて、前記面積比テーブルの面積比を補正する段階と、
前記網点画線部の各多次色についての前記第２の色の表色系の値を、前記各多次色についての前記取得した各色の中間色の表色系の値、前記取得した各色のベタの表色系の値、及び、前記取得した記録媒体の色の表色系の値と前記各多次色についての前記補正された前記面積比テーブルとを用いて求める段階とを含む請求項９乃至請求項１１のいずれかに記載のカラー画像形成方法。
【請求項１３】
前記多次色についての前記第２の色の表色系の値は、重ねられた色数が少ない低次から順に、既に求められている第２の色の表色系の値を用いつつ求められる請求項１２に記載のカラー画像形成方法。
【請求項１４】
前記第２の色の表色系の値は、前記網点画線部の各色の中間色を示す網点画像を構成する網点画線部の各色についての前記第１の色の表色系の値、前記第２の色の表色系の値、及び、前記記録媒体の色の表色系の値とそれぞれの色に対応する前記面積比テーブルに示される面積比との積をそれぞれ加算した合計値が前記取得した各色の中間色の表色系の値となるときの値である請求項９乃至請求項１３に記載のカラー画像形成方法。
【請求項１５】
前記面積比テーブルは、前記網点画線部の各色の複数段階の中間色について前記面積比を示し、
前記取得される各色の中間色の表色系の値は、前記複数段階の中間色についてのものであり、
前記第２の色の表色系の値は、前記合計値と前記取得した各色の中間色の表色系の値との誤差を求め、前記複数段階の中間色について、前記誤差が最も小さくなるように求められる請求項１４に記載のカラー画像形成方法。
【請求項１６】
前記第２の色の表色系の値を求める際に用いる各色についての表色系の値は、ＸＹＺ表色系の値である請求項９乃至請求項１５のいずれかに記載のカラー画像形成方法。
【請求項１７】
前記第１の色の画素は、前記網点画像を構成する網点画線部の各色の領域の中心部に配置され、
前記第２の色の画素は、前記網点画像を構成する網点画線部の各色の領域の周縁部に配置される請求項９乃至請求項１６のいずれかに記載のカラー画像形成方法。
【請求項１８】
少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整し、各画素の色に応じて複数の基本色の出力強度を変化させて、再現するようにカラー画像を形成するカラー画像形成装置であって、
前記複数の基本色の出力強度と表色系の値との間の対応関係を示す第３の参照テーブルと、
前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルと、
前記印刷して得られる、前記網点画線部の各色のベタの表色系の値、前記網点画線部の各色の中間色の表色系の値、及び、前記記録媒体の色の表色系の値を取得し、前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める色調整値演算手段と、
前記取得した記録媒体の色の表色系の値、前記求められた第１の表色系の値、及び、第２の色の表色系の値と前記参照テーブルとにより、前記記録媒体の色、前記第１の色、及び、第２の色に対応する前記複数の基本色の出力強度の組み合わせを求めカラーチャンネルテーブルを生成する生成手段と、
前記複数の色版の各色の前記階調値の組み合わせで示される複数の色について、前記求めた第１の色の画素と前記第２の色の画素とで構成し、さらに、前記求めた画素数調整値に基づいて前記第１または第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する画素数調整値補正手段と、
前記補正された画素数調整値を用いて前記第１または第２の色の画素数の調整する画素数調整手段と、
前記生成したカラーチャンネルテーブルに基づいて、各画素の色に応じて複数の基本色の出力強度を変化させるように制御する制御手段とを備えることを特徴とするカラー画像形成装置。
【発明の詳細な説明】
【技術分野】
【０００１】
本発明は、網点画像の網点画線部の色を、目標とする色の画素と目標とする色とは色調が異なる色の画素とで構成することで色調整を行う色調整方法、その色調整方法を用いたカラー画像形成方法、及び、カラー画像形成装置に関する。
【背景技術】
【０００２】
近年、ＤＴＰ（Ｄｅｓｋ  Ｔｏｐ  Ｐｕｂｌｉｓｈｉｎｇ）等の普及により、スキャナから入力した画像をコンピュータのソフトウエア上で画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
また、このような印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途にプルーフが作成、使用される。
【０００５】
このように、カラー印刷を作成する際には、原稿フィルムの段階で色校正を行うことにより、Ｙ（イエロー）版、Ｍ（マゼンタ）版、Ｃ（シアン）版、及びＢＫ（墨色）版に分解された各色分解網原稿フィルムを使って校正物（カラープルーフ）を作成し、本番の印刷版を作成する前に、原稿フィルムのレイアウトに間違いないか、色間違いがないか、文字の誤りがないか等を検査し、印刷物の仕上がりを事前に確認するようにしていた。
【０００６】
この場合、校正確認の為だけに一旦フィルム出力や印刷版出力を行い、印刷校正や、その他の校正材料による校正を行うことは、フィルム、印刷版のムダや余計な作業が多くなる問題がある。
【０００７】
その為、特に、このようなコンピュータによるフルデジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）ないしはＤＣＰ（Ｄｉｇｉｔａｌ  Ｃｏｌｏｒ  Ｐｒｏｏｆ）と呼ばれる直接カラー画像出力を行うシステムが求められている。
【０００８】
このようなＤＤＣＰは、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認を行うものである。
【０００９】
また、カラープルーフを作成するものとして、各色分解網原稿の網点画像データに基づいて、銀塩カラー感光材料に、例えば、Ｒ、Ｇ、Ｂ等の波長の異なる複数の光の組み合わせからなる光点を露光して、３つの基本色Ｙ、Ｍ、Ｃの各ドットを発色させることで網点画像を再現してカラープルーフを作成する校正用カラープリンタがある。またその中に、印刷機で複数のインキの各色版を刷り重ねて得られる網点画像を構成する網点画線部の色である１次色（インキ単色）、多次色（複数のインキを重ね合わせた色）及び印刷用紙の地色を出力色の目標とし、それぞれの色を再現するように３つの基本色の出力強度を変化させて、色調整を行うタイプのＤＤＣＰがある（例えば、特許文献１。）。
【００１０】
ところが、上述のＤＤＣＰで網点画像データに基づいてカラープルーフを出力すると、ベタ領域では色調は合うものの、中間調領域では色調が若干ずれてしまうという現象が発生することがある。例えば、シアン部では、中間調領域を構成する網点の網％が小さくなると黄色がかって見えるようになることがある。
【００１１】
この対策として、出力される画像の色調を調整するように、ＤＤＣＰ及び印刷機の出力色の特性を示すそれぞれのデバイスプロファイルから求められるデバイスリンクプロファイルを用いた色調整を行う、いわゆるカラーマネージメントシステム（ＣＭＳ）と呼ばれる手法を用いることが考えられる。しかしながら、カラーマネージメントシステムを用いた色調整では、例えば印刷物には本来存在しない色の網点が混入してしまうことがあり、検版性を損ねるという問題を生じた。また、カラーマネージメントシステムは網点化済みの画像データ（網点画像データ）には用いることができないので、網点画像データに基づいて出力する場合には、網点画像の色を調整することができないという問題もあった。
【００１２】
そこで、ＤＤＣＰで網点画像データに基づいて出力される網点画像を構成する網点画線部の色を、印刷機が出力する目標とする出力色の画素と目標とする出力色とは色調が異なる色の画素とで構成して出力する方法（例えば、特願２００３−３１２５２７）を本出願人は提案している。これにより、中間調領域における色調整が可能となり、さらに、この方法によれば、網点画像データに基づいて網点画像を出力する場合についても色調整を行うことが可能である。
【００１３】
【特許文献１】特開２００３−１４９７９６号公報
【発明の開示】
【発明が解決しようとする課題】
【００１４】
しかしながら、目標とするベタの出力色への合わせこみは上記特許文献１に記載されているように行うことで可能であるが、一方の中間調領域の網点画線部の色を構成するベタの出力色とは色調が異なる色については、その色を容易に求める手段がなかった。
【００１５】
また、ある程度の色調整は可能であったが、色調や濃度などの誤差が階調値によって異なり、例えば高階調の領域の色調はよいが、低階調の領域ではよくないといった状況が発生する場合があり、複数のインキを重ね合わせて得られる多次色、特にＣＭＹグレーは、赤みを帯びたり、緑色がかったりすることがあり、その色調を合わせることが困難であった。その結果、高精度な色調整を行うことが困難となる場合があった。
【００１６】
本発明は、上記事情に鑑みてなされたものであり、その目的とするところは、網点画像を構成する網点画線部の色を、目標とする第１の色の画素と、第１の色とは色調が異なる第２の色の画素とで構成するとともに階調値に応じて画素数調整値を用いて第１または第２の色の画素数を調整して色調整を行う場合に、第１の色、第２の色、及び、第１または第２の色の画素数を調整するための画素数調整値を容易に求めることが可能で、ＣＭＹグレーにおいて高精度な色調整を行うことが可能な色調整方法、その色調整方法を用いたカラー画像形成方法、及び、カラー画像形成装置を提供することにある。
【課題を解決するための手段】
【００１７】
上記目的を達成するために、請求項１記載の発明は、少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整して再現する色調整方法であって、前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルを予め格納する段階と、前記印刷して得られる、前記網点画線部の各色のベタの表色系の値、前記網点画線部の各色の中間色の表色系の値、及び、前記記録媒体の色の表色系の値を取得する段階と、前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める段階と、前記複数の色版の各色の前記階調値の組み合わせで示される複数の色について、前記求めた第１の色の画素と前記第２の色の画素とで構成し、さらに、前記求めた画素数調整値に基づいて前記第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する段階と、前記補正された画素数調整値を前記第２の色の画素数の調整に用いる段階とを含むことを特徴としている。
【００１８】
また、請求項２記載の発明は、前記画素数調整値を求める段階は、前記複数の色版の各色について、前記求めた表色系の値となる前記第１の色の画素、前記第２の色の画素で構成する各色の中間色の濃度と前記取得した各色の中間色の濃度とから、前記取得した各色の中間色の階調値を入力値とし、前記取得した各色の中間色の濃度となる前記求めた表色系の値となる前記第１の色の画素、前記第２の色の画素で構成する各色の中間色の階調値を出力値として関連付けた第１の補正特性を求める段階と、前記第１の補正特性に基づいて前記画素数調整値を求める段階とを含み、前記画素数調整値を補正する段階は、前記複数の色についての前記階調値の組み合わせにそれぞれ対応する表色系の値を関連付けた第１の参照テーブルを作成する段階と、前記第１の参照テーブルに基づいて、複数の表色系の値のそれぞれの表色系の値に、該表色系の値で示される色に対応する階調値の組み合わせを関連付けた第２の参照テーブルを作成する段階と、前記第２の参照テーブルを用いて、前記グレーの表色系の値に対応するＣ、Ｍ及びＹ階調値の組み合わせを求めて、前記グレーを前記印刷するときのＣ、Ｍ及びＹの階調値のそれぞれを入力値とし、該求めた組み合わせのＣ、Ｍ及びＹのそれぞれの階調値を出力値として関連付けたＣＭＹそれぞれについての第２の補正特性を求める段階と、前記求めたＣＭＹそれぞれについての第２の補正特性に基づいて、ＣＭＹそれぞれについての前記画素数調整値を補正する段階とを含むことを特徴としている。
【００１９】
また、請求項３記載の発明は、前記網点画線部の各色は、前記複数の色版の中の１つの版の色の１次色、及び、少なくとも２つの版の色が重ねられた色の多次色を含み、前記第１の色の表色系の値、及び、前記第２の色の表色系の値を求める段階は、前記１次色と多次色について求める段階を有し、前記１次色について求める段階は、前記網点画線部の各色の前記第１の色の表色系の値を前記取得した各色のベタの表色系の値として求める段階と、前記網点画線部の各１次色についての前記第２の色の表色系の値を、前記各１次色についての前記取得した各色の中間色の表色系の値、前記各１次色についての前記取得した各色のベタの表色系の値、及び、前記取得した記録媒体の色の表色系の値と前記各１次色についての前記面積比テーブルとを用いて求める段階とを含み、前記多次色について求める段階は、前記求めた前記画素数調整値に基づいて、前記面積比テーブルの面積比を補正する段階と、前記網点画線部の各多次色についての前記第２の色の表色系の値を、前記各多次色についての前記取得した各色の中間色の表色系の値、前記取得した各色のベタの表色系の値、及び、前記取得した記録媒体の色の表色系の値と前記各多次色についての前記補正された前記面積比テーブルとを用いて求める段階とを含むことを特徴としている。
【００２０】
また、請求項４記載の発明は、前記多次色についての前記第２の色の表色系の値は、重ねられた色数が少ない低次から順に、既に求められている第２の色の表色系の値を用いつつ求められることを特徴としている。
【００２１】
また、請求項５記載の発明は、前記第２の色の表色系の値は、前記網点画線部の各色の中間色を示す網点画像を構成する網点画線部の各色についての前記第１の色の表色系の値、前記第２の色の表色系の値、及び、前記記録媒体の色の表色系の値とそれぞれの色に対応する前記面積比テーブルに示される面積比との積をそれぞれ加算した合計値が前記取得した各色の中間色の表色系の値となるときの値であることを特徴としている。
【００２２】
また、請求項６記載の発明は、前記面積比テーブルは、前記網点画線部の各色の複数段階の中間色について前記面積比を示し、前記取得される各色の中間色の表色系の値は、前記複数段階の中間色についてのものであり、前記第２の色の表色系の値は、前記合計値と前記取得した各色の中間色の表色系の値との誤差を求め、前記複数段階の中間色について、前記誤差が最も小さくなるように求められることを特徴としている。
【００２３】
また、請求項７記載の発明は、前記第２の色の表色系の値を求める際に用いる各色についての表色系の値は、ＸＹＺ表色系の値であることを特徴としている。
【００２４】
また、請求項８記載の発明は、前記第１の色の画素は、前記網点画像を構成する網点画線部の各色の領域の中心部に配置され、前記第２の色の画素は、前記網点画像を構成する網点画線部の各色の領域の周縁部に配置されることを特徴としている。
【００２５】
また、請求項９記載の発明は、少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整し、各画素の色に応じて複数の基本色の出力強度を変化させて、再現するようにカラー画像を形成するカラー画像形成方法であって、前記複数の基本色の出力強度と表色系の値との間の対応関係を示す第３の参照テーブルを予め格納する段階と、前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルを予め格納する段階と、前記印刷して得られる、前記網点画線部の各色のベタの表色系の値、前記網点画線部の各色の中間色の表色系の値、及び、前記記録媒体の色の表色系の値を取得する段階と、前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める段階と、前記取得した記録媒体の色の表色系の値、前記求められた第１の表色系の値、及び、第２の色の表色系の値と前記参照テーブルとにより、前記記録媒体の色、前記第１の色、及び、第２の色に対応する前記複数の基本色の出力強度の組み合わせを求めカラーチャンネルテーブルを生成する段階と、前記複数の色版の各色の前記階調値の組み合わせで示される複数の色について、前記求めた第１の色の画素と前記第２の色の画素とで構成し、さらに、前記求めた画素数調整値に基づいて前記第１または第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する段階と、前記補正された画素数調整値を前記第１または第２の色の画素数の調整に用いる段階と、前記生成したカラーチャンネルテーブルに基づいて、各画素の色に応じて複数の基本色の出力強度を変化させてカラー画像を形成する段階とを含むことを特徴としている。
【００２６】
また、請求項１０記載の発明は、前記複数の基本色は、シアン（Ｃ）、マゼンタ（Ｍ）、及びイエロー（Ｙ）の３色であり、前記参照テーブルは、前記シアン（Ｃ）、マゼンタ（Ｍ）、及びイエロー（Ｙ）のそれぞれの出力強度を段階的に変化させた各組み合わせについての表色系の値が示されていることを特徴としている。
【００２７】
また、請求項１１記載の発明は、前記画素数調整値を求める段階は、前記複数の色版の各色について、前記求めた表色系の値となる前記第１の色の画素、前記第２の色の画素で構成する各色の中間色の濃度と前記取得した各色の中間色の濃度とから、前記取得した各色の中間色の階調値を入力値とし、前記取得した各色の中間色の濃度となる前記求めた表色系の値となる前記第１の色の画素、前記第２の色の画素で構成する各色の中間色の階調値を出力値として関連付けた第１の補正特性を求める段階と、前記第１の補正特性に基づいて前記画素数調整値を求める段階とを含み、前記画素数調整値を補正する段階は、前記複数の色についての前記階調値の組み合わせにそれぞれ対応する表色系の値を関連付けた第１の参照テーブルを作成する段階と、前記第１の参照テーブルに基づいて、複数の表色系の値のそれぞれの表色系の値に、該表色系の値で示される色に対応する階調値の組み合わせを関連付けた第２の参照テーブルを作成する段階と、前記第２の参照テーブルを用いて、前記グレーの表色系の値に対応するＣ、Ｍ及びＹ階調値の組み合わせを求めて、前記グレーを前記印刷するときのＣ、Ｍ及びＹの階調値のそれぞれを入力値とし、該求めた組み合わせのＣ、Ｍ及びＹのそれぞれの階調値を出力値として関連付けたＣＭＹそれぞれについての第２の補正特性を求める段階と、前記求めたＣＭＹそれぞれについての第２の補正特性に基づいて、ＣＭＹそれぞれについての前記画素数調整値を補正する段階とを含むことを特徴としている。
【００２８】
また、請求項１２記載の発明は、前記網点画線部の各色は、前記複数の色版の中の１つの版の色の１次色、及び、少なくとも２つの版の色が重ねられた色の多次色を含み、前記第１の色の表色系の値、及び、前記第２の色の表色系の値を求める段階は、前記１次色と多次色について求める段階を有し、前記１次色について求める段階は、前記網点画線部の各色の前記第１の色の表色系の値を前記取得した各色のベタの表色系の値として求める段階と、前記網点画線部の各１次色についての前記第２の色の表色系の値を、前記各１次色についての前記取得した各色の中間色の表色系の値、前記各１次色についての前記取得した各色のベタの表色系の値、及び、前記取得した記録媒体の色の表色系の値と前記各１次色についての前記面積比テーブルとを用いて求める段階とを含み、前記多次色について求める段階は、前記求めた前記画素数調整値に基づいて、前記面積比テーブルの面積比を補正する段階と、前記網点画線部の各多次色についての前記第２の色の表色系の値を、前記各多次色についての前記取得した各色の中間色の表色系の値、前記取得した各色のベタの表色系の値、及び、前記取得した記録媒体の色の表色系の値と前記各多次色についての前記補正された前記面積比テーブルとを用いて求める段階とを含むことを特徴としている。
【００２９】
また、請求項１３記載の発明は、前記多次色についての前記第２の色の表色系の値は、重ねられた色数が少ない低次から順に、既に求められている第２の色の表色系の値を用いつつ求められることを特徴としている。
【００３０】
また、請求項１４記載の発明は、前記第２の色の表色系の値は、前記網点画線部の各色の中間色を示す網点画像を構成する網点画線部の各色についての前記第１の色の表色系の値、前記第２の色の表色系の値、及び、前記記録媒体の色の表色系の値とそれぞれの色に対応する前記面積比テーブルに示される面積比との積をそれぞれ加算した合計値が前記取得した各色の中間色の表色系の値となるときの値であることを特徴としている。
【００３１】
また、請求項１５記載の発明は、前記面積比テーブルは、前記網点画線部の各色の複数段階の中間色について前記面積比を示し、前記取得される各色の中間色の表色系の値は、前記複数段階の中間色についてのものであり、前記第２の色の表色系の値は、前記合計値と前記取得した各色の中間色の表色系の値との誤差を求め、前記複数段階の中間色について、前記誤差が最も小さくなるように求められることを特徴としている。
【００３２】
また、請求項１６記載の発明は、前記第２の色の表色系の値を求める際に用いる各色についての表色系の値は、ＸＹＺ表色系の値であることを特徴としている。
【００３３】
また、請求項１７記載の発明は、前記第１の色の画素は、前記網点画像を構成する網点画線部の各色の領域の中心部に配置され、前記第２の色の画素は、前記網点画像を構成する網点画線部の各色の領域の周縁部に配置されることを特徴としている。
【００３４】
また、請求項１８記載の発明は、少なくともＣ（シアン）、Ｍ（マゼンタ）及びＹ（イエロー）の色版を含む複数の色版を用いて記録媒体に印刷して得られる網点画像の色調を、前記複数の色版の各色の濃度の段階を示す階調値を含む描画情報で構成される階調画像データを網点化して得られる網点画像データに基づく網点画像を構成する網点画線部の各色の領域を、それぞれの色について第１の色の画素と前記第１の色とは色調が異なる少なくとも１種類の第２の色の画素とで構成するとともに、前記階調値に応じて前記第１または第２の色の画素数を調整し、各画素の色に応じて複数の基本色の出力強度を変化させて、再現するようにカラー画像を形成するカラー画像形成装置であって、前記複数の基本色の出力強度と表色系の値との間の対応関係を示す第３の参照テーブルと、前記網点画線部の各色の中間色を示す網点画像を構成する網点画線部の各色の領域を前記第１の色及び第２の色で構成する場合の当該各色の第１の色及び第２の色、及び、前記記録媒体の色のそれぞれの面積比を示す面積比テーブルと、前記印刷して得られる、前記網点画線部の各色のベタの表色系の値、前記網点画線部の各色の中間色の表色系の値、及び、前記記録媒体の色の表色系の値を取得し、前記取得した各色の中間色の表色系の値、前記取得した各色のベタの表色系の値、及び、前記取得した記録媒体の色の表色系の値と前記面積比テーブルとを用いて、前記網点画線部の各色の前記第１の色の表色系の値、及び、前記第２の色の表色系の値を求めるとともに、前記複数の色版の各色について、前記取得した各色の中間色の濃度となるように前記第１または第２の色の画素数を調整するための画素数調整値を求める色調整値演算手段と、前記取得した記録媒体の色の表色系の値、前記求められた第１の表色系の値、及び、第２の色の表色系の値と前記参照テーブルとにより、前記記録媒体の色、前記第１の色、及び、第２の色に対応する前記複数の基本色の出力強度の組み合わせを求めカラーチャンネルテーブルを生成する生成手段と、前記複数の色版の各色の前記階調値の組み合わせで示される複数の色について、前記求めた第１の色の画素と前記第２の色の画素とで構成し、さらに、前記求めた画素数調整値に基づいて前記第１または第２の色の画素数を調整して得られる表色系の値と、前記印刷して得られる前記網点画線部の各色の中間色のうちの前記Ｃ、Ｍ及びＹで構成されるグレーの表色系の値とに基づいて、前記求めた画素数調整値のうちＣＭＹそれぞれについての画素数調整値を補正する画素数調整値補正手段と、前記補正された画素数調整値を用いて前記第１または第２の色の画素数の調整する画素数調整手段と、前記生成したカラーチャンネルテーブルに基づいて、各画素の色に応じて複数の基本色の出力強度を変化させるように制御する制御手段とを備えることを特徴としている。
【発明の効果】
【００３５】
請求項１に記載色調整方法によれば、網点画線部の各色を、目標とする第１の色の画素と、第１の色とは色調が異なる第２の色の画素とで構成するとともに階調値に応じて画素数調整値を用いて第１または第２の色の画素数を調整して色調整を行う場合の第１の色、第２の色、及び、第１または第２の色の画素数を調整するための画素数調整値とを容易に求めることができ、かつ、ＣＭＹグレーを高精度に再現することができる。
【００３６】
請求項９に記載のカラー画像形成方法によれば、網点画線部の各色を、目標とする第１の色の画素と、第１の色とは色調が異なる第２の色の画素とで構成するとともに階調値に応じて画素数調整値を用いて第１または第２の色の画素数を調整して色調整を行う場合の第１の色、第２の色、及び、第１または第２の色の画素数を調整するための画素数調整値とを容易に求め、かつ、ＣＭＹグレーを高精度に再現することができ、さらに、第１の色及び第２の色に対応する複数の基本色の出力強度の組み合わせを、複数の基本色の出力強度と表色系の値との間の対応関係を示す参照テーブルから求めてカラー画像を形成するので、いずれの階調においても高精度に色調整を行うことができる。
【００３７】
請求項１８に記載のカラー画像形成装置によれば、網点画線部の各色を、目標とする第１の色の画素と、第１の色とは色調が異なる第２の色の画素とで構成するとともに階調値に応じて画素数調整値を用いて第１または第２の色の画素数を調整して色調整を行う場合の第１の色、第２の色、及び、第１または第２の色の画素数を調整するための画素数調整値とを容易に求め、かつ、ＣＭＹグレーを高精度に再現することができ、さらに、第１の色及び第２の色に対応する複数の基本色の出力強度の組み合わせを、複数の基本色の出力強度と表色系の値との間の対応関係を示す参照テーブルから求めてカラー画像を形成するので、いずれの階調においても高精度に色調整を行うことができる。
【発明を実施するための最良の形態】
【００３８】
まず、本発明について説明する前に、以下の説明で用いる色、表色系の値等について説明しておくことにする。４色の基本色とは、Ｃはシアン（青緑色）、Ｍはマゼンタ（赤紫色）、Ｙはイエロー（黄色）、Ｋはブラック（黒色）であり（以下「Ｃ、Ｍ、Ｙ、Ｋ」、「ＹＭＣＫ」、「ＣＭＹＫ」などと表示を変えて記す場合もある。また、「Ｃ、Ｍ、Ｙ」３色についての表示も同様である。）、Ｌ＊ａ＊ｂ＊表色系の値とは、色を表す表色系の値の１つであり、Ｌ＊軸、ａ＊軸、ｂ＊軸の３次元空間で色を表すもので、ａ＊ｂ＊平面により色あい及び彩度が表され、Ｌ＊はａ＊ｂ＊平面に直交し明度を表す色特性の値である。また、Ｌ＊ａ＊ｂ＊表色系の値は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ（λ），ｙ（λ），ｚ（λ）（ＣＩＥ１９３１中では、このｘ，ｙ，ｚの上にはバー（−）が付けられている。）の分光特性で光量を積算して求めたＸＹＺ表色系の値に基づくものである。このＸＹＺは、色の三刺激値と呼ばれるもので、Ｘ軸、Ｙ軸、Ｚ軸の３次元空間で色を表すもので、Ｘは赤い光の量、Ｙは緑の光の量、Ｚは青紫の光の量に相当する。
【００３９】
また、ＸＹＺ表色系の値のＸ値、Ｙ値、Ｚ値から、Ｌ＊ａ＊ｂ＊表色系の値のＬ＊値、ａ＊値、ｂ＊値は、以下のようにして求めることができる。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７３０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊値、ａ＊値、ｂ＊値で示されるＬ＊ａ＊ｂ＊表色系の値を求める。また、Ｌ＊ａ＊ｂ＊表色系の値から逆算することにより、ＸＹＺ表色系の値のＸ値、Ｙ値、Ｚ値を求めることができる。
【００４０】
また、上記のＸｄ、Ｙｄ、Ｚｄは、本実施の形態の説明の中で、Ｃ（シアン）、Ｍ（マゼンタ）、Ｙ（イエロー）及びＫ（ブラック）のそれぞれの濃度を示す値のように用いる。ＸｄをＣに、ＹｄをＭ及びＫに、ＺｄをＹに用いる。
【００４１】
以下、本発明の色調整方法、カラー画像形成方法を述べるにあたり、一例として校正用カラープリンタ（カラー画像形成装置）に適用した実施の形態を示し、図面を参照して具体的に説明する。
【００４２】
〔出力の概要〕
まず、本実施の形態の校正用カラープリンタの出力の概要について述べる。校正用カラープリンタは、階調画像データ（いわゆるベクタグラフィックスと呼ばれ、各オブジェクトを点の座標とそれを結ぶ線や面の方程式のパラメータ、及び、塗りつぶしの色（ＹＭＣＫ各色の階調値で示す。階調値とは、白を０、ベタを２５５として段階的に示す値である。また、色を白を０、ベタを１００で段階的に示す網点面積率（網％ということがある）で表してもよい）や特殊効果、文字の形状を示す文字フォント情報やそのサイズなどの描画情報の集合で示すベクトルデータや、いわゆるビットマップグラフィックスと呼ばれ、横方向に所定の間隔（解像度）で配置された複数の画素で１ラインを構成し、さらにラインが縦方向に所定の間隔で並べられ、各画素が階調値で示される描画情報により示すラスターデータ）を、Ｙ、Ｍ、Ｃ、Ｋの各色版毎に分版し網点画像データとし、その網点画像データに基づいて網点画像によりカラープルーフを作成するもので、各色版の網点画像データは、所定の領域内の画素で網点を構成し、また、各色で網点の配列方向が異なるように、換言すれば各色でいわゆるスクリーン角度を変化させて網点を配置し、各網点の大きさをその階調値に基づいて所定の領域内で変化させて濃淡を表現するように構成されている。
【００４３】
また、網点画像は、ＹＭＣＫの網点からなる網点画線部で構成され、その網点画線部の各色は、ＹＭＣＫの１つの色または複数が重ねられた色（１次色、２次色、３次色、４次色で、これらについての説明は、印刷の場合を例に後述する。）からなり、各色の領域は、それぞれ例えば色合わせの目標となる印刷機（以下、単に印刷機と称することがある。）で複数のインキ（Ｃ、Ｍ、Ｙ、及び、Ｋ）のそれぞれの版を刷り重ねして得られる目標とする出力色に合わせた色（第１の色）の画素（以下、画素ａと表記することがある。）と、目標とする出力色とは色調が異なる色（第２の色）の画素（以下、画素ｂと表記することがある。）とで構成するようになされていて、この第２の色を用いることにより色調整を可能としている。また、各画素の色は校正用カラープリンタで画像形成に用いる３色の基本色（Ｙ、Ｍ、Ｃ、以下「Ｃ、Ｍ、Ｙ」、「ＹＭＣ」、「ＣＭＹ」と順序などを変えて記す場合もある。）の出力強度を変化させて出力するようになっている（詳細は後述）。また、本例では、目標とする色を、４色の版を用いて刷り重ねして得られる網点画像を構成する網点画線部の色として説明するが、更に特色の版を用いる場合や、４色の版の中の１つ、または、２つ等を用いる場合に適用することができる。
【００４４】
また、目標とする出力色とは、例えば印刷機で印刷用紙（記録媒体）にＣ，Ｍ，Ｙ，Ｋの各色のインキを用いて印刷した色で、１次色、２次色、３次色、４次色（以下、まとめてＣＭＹＫ１／２／３／４次色と記す場合もある。また、２／３／４次色は本発明の多次色に相当する。）、である。１次色とはＣＭＹＫの内の１つの色、２次色とはＣＭＹＫの内の２つを組み合わせた色、３次色とはＣＭＹＫの内の３つを組み合わせた色、４次色とはＣＭＹＫの内の４つを組み合わせた色で、１次色は、Ｃ、Ｍ、Ｙ、Ｋ、２次色は、Ｒ（Ｍ＋Ｙ）（レッド）、Ｇ（Ｃ＋Ｙ）（グリーン）、Ｂ（Ｃ＋Ｍ）（ブルー）、Ｋ＋Ｃ、Ｋ＋Ｍ、Ｋ＋Ｙ、３次色は、Ｃ＋Ｍ＋Ｙ、ＫＲ（Ｋ＋Ｍ＋Ｙ）、ＫＧ（Ｋ＋Ｃ＋Ｙ）、ＫＢ（Ｋ＋Ｃ＋Ｍ）、４次色は、Ｃ＋Ｍ＋Ｙ＋Ｋで、計１５色となる。図１にＣＭＹＫ１／２／３／４次色、及び、印刷用紙の地色（Ｗ）について、それぞれの場合に使用されるインキの対応関係を●印で示す。また、インキの刷り重ね順は、図１で左側のインキから順に、すなわち、Ｋ→Ｃ→Ｍ→Ｙの順で刷られるものとする。
【００４５】
ここで、図２を用いて網点画線部の色を構成する色と各画素について述べる。また、以下、画素ｂを周縁部に画素ａを中心部に配置して網点画線部の各色の領域を構成する場合（配置方法についての詳細は後述）を一例に説明するものとする。
【００４６】
まず、図２（ａ）の模式図を用いて網点画線部が１つの網点で構成される場合についてＣを例として説明する。例えば、１つの網点が１５画素×１５画素の領域を用いて示される場合に、網点は、図２（ａ）に示すように、網点％に応じた大きさの網点が１５画素×１５画素の領域内に示される。ここで、Ｃの画素ａに対応する色をＣａ、画素ｂに対応する色をＣｂとして示すことにすると（他の色についても同様にａまたはｂを付加して、画素ａに対応する色または画素ｂに対応する色を示すものとする。）、図２（ａ）に示すように、Ｃの領域の周縁部の画素の色がＣｂ、中心部の画素の色がＣａ、Ｃｂの画素の外側の画素の色がＷで構成される。
【００４７】
次に、図２（ｂ）を用いて網点画線部が２つの網点で構成される場合についてＣとＭの刷り重ねを例に説明する。各画素の枠を表示すると煩雑になるため省略した模式図で示す。ＣとＭの各網点は、ＣとＭはスクリーン角度が異なるので、図２（ｂ）に示すように各網点は位置がずれて重なり、また、図示しないが網点の位置によりそのずれ方が異なる。また、網点画線部の各色を構成する各画素の色は、図２（ｂ）に示すように、ＣとＭの重なり部のＢの領域の周縁部の画素がＢｂ、中心部の画素がＢａ、Ｍとの重なり部を除くＣの領域の周縁部の画素がＣｂ、中心部の画素がＣａ、Ｃとの重なり部を除くＭの領域の周縁部の画素がＭｂ、中心部の画素がＭａ、さらに外側の画素がＷで構成される。
【００４８】
さらに次に、図２（ｃ）の模式図を用いて網点画線部が３つの網点で構成される場合についてＣＭＹの刷り重ねを例に３説明する。Ｃ、ＭとＹの各網点は、上述の２次色の場合と同様に位置がずれて重なり、網点画線部の色を構成する各画素の色は、図２（ｃ）に示すように、Ｃ、Ｍ及びＹの重なり部のＣＭＹの領域の周縁部の画素がＣＭＹｂ、中心部の画素がＣＭＹａ、以下、各画素は図２（ｃ）に示すように、Ｂｂ、Ｂａ、Ｒｂ、Ｒａ、Ｇｂ、Ｇａ、Ｃａ、Ｃｂ、Ｍａ、Ｍｂ、Ｙａ、Ｙｂ及びＷで構成される。
【００４９】
また、画素ｂの配置は、周縁部へ配置することに限らず、また、画素ｂに加えて更に色調の異なる画素ｂ´を用いることも可能である。
【００５０】
〔校正用カラープリンタの制御構成〕
次に、上述のように階調画像データを、Ｙ、Ｍ、Ｃ、Ｋの各色版毎に分版し網点画像データとし、その網点画像データに基づいて網点画像によりカラープルーフを作成する校正用カラープリンタの制御構成について図３を用いて説明する。図３に校正用カラープリンタの機能ブロック図を示す。図３に示すように、本実施の形態の校正用カラープリンタは、制御部１、記憶部２、画像記録部３、入力部４及び画像データ受付手段５で構成される。
【００５１】
画像記録部３は、緑色（Ｇ）光により感光材料のシアン発色層（Ｃ層）を感光させ、赤色（Ｒ）光により感光材料のマゼンタ発色層（Ｍ層）を感光させ、青色（Ｂ）光により感光材料のイエロー発色層（Ｙ層）を感光させ、現像処理を行い、基本色であるＣ、Ｍ、Ｙを顕在化して出力させ，カラー画像を形成する。この緑色（Ｇ）光、赤色（Ｒ）光、青色（Ｂ）光による感光は、点順次に画素毎にこれらの色の光を同時に照射して行う。また、緑色（Ｇ）光、赤色（Ｒ）光、青色（Ｂ）光の強度を変化させることにより、Ｃ、Ｍ、Ｙの出力強度を変化させることができ、各画素を後述のカラーチャンネルテーブル２２に基づくＣ、Ｍ、Ｙの出力強度で出力するように、Ｃ、Ｍ、Ｙの出力強度と緑色（Ｇ）光、赤色（Ｒ）光、青色（Ｂ）光の強度とを対応させたテーブル（図示せず）を予め内蔵しておき、Ｃ、Ｍ、Ｙの出力強度に対応した各光の強度で感光させる。
【００５２】
なお、感光材料に記録される画像の画像記録密度は、網点画像による階調の再現性などの観点から主走査方向及び副走査方向共に６００ｄｐｉ以上（特に１０００ｄｐｉ以上、更に１２００ｄｐｉ以上）が好ましく、また、網点画像による階調の再現性の飽和や画像記録速度や装置コストなどの観点から主走査方向及び副走査方向共に１万ｄｐｉ以下（特に５０００ｄｐｉ以下）が好ましい。主走査方向及び副走査方向の画像記録密度は、主走査方向又は副走査方向１インチの長さの中に、画像記録される画素が幾つ並んでいるかを示すｄｐｉという単位で示される。
【００５３】
さらに、１つの網点は、１００以上（特に２００以上）の画素から記録されていることが、実際の印刷の網点に近い再現になり好ましい。また、１つの網点は、５０００以下（特に２０００以下）の画素から記録されていることが画像データの取り扱いが容易で、高速に画像データを処理でき好ましい。
【００５４】
また、露光光の各色の１秒当たりの記録画素数は、３００万画素／秒以上（特に１０００万画素／秒以上）であることが好ましい。これにより、高速画像記録と高精細な画像記録を両立させることができる。また、露光光の各色の１秒当たりの記録画素数は、４０億画素以下（特に５億画素以下）が好ましい。これにより、駆動回路が安定し、画像記録が安定し、露光出力強度や露光位置が安定し、低コストで、調整が容易にしやすい。
【００５５】
記憶部２は、ハードディスクドライブやイメージメモリ等の記憶装置によって構成され、画像データ記憶部２１、画像データテーブル２６、画素種別判別情報記憶部２９、カラーチャンネルテーブル２２、ＣＭＹ出力強度−Ｌ＊ａ＊ｂ＊テーブル２３、出力色テーブル２７、目標色テーブル２４、面積比テーブル２５、階調補正テーブル２８、及び、ＬＵＴ記憶部３０を備えている。
【００５６】
画像データ記憶部２１は、後述の網点化手段１１によりＣ，Ｍ，Ｙ，Ｋの各色版毎に分版され網点化された網点画像データ、または、画像データ受付手段５が受付けた網点画像データを記憶する。網点画像データは、所定の数の画素からなる領域（例えば１５画素×１５画素）ごとにその領域内の画素により網点を形成し、その網点の大小を変化させて画像の濃淡を表現するもので、例えば、網点画像がｎ個の画素で構成されるものであれば、ＹＭＣＫの各色版ごとにｎ個の各画素について、出力する場合を「１」、出力しない場合を「０」で示すものである。
【００５７】
画像データテーブル２６は、図９に示すように、網点画像データのｎ個の各画素について、ＹＭＣＫの各色版の出力する「１」、出力しない「０」の組み合わせ、及び、後述の画素種別判別手段１２での判別結果を画素ｂであるを「１」、画素ｂではないを「０」として示すものである。
【００５８】
画素付加情報記憶部２９は、図３５に構成を示すが、画素種別判別手段１２が画素判別の際に用いるもので、所定の領域内の出力する「１」の画素数と階調値との対応関係を示す画素数―階調値テーブル２９１及び階調値における増加比率（画素数調整値）との対応関係を示す階調値−増加比率テーブル２９２を格納する（詳細は後述）。
【００５９】
画素数−階調値テーブル２９１は、図１７に示すように、画素の数と階調値との対応関係が示されている。例えば、本例では、後述の９×９のデジタルフィルタ内の出力する「１」の画素の数と階調値との対応関係を予め求めて、その画素の数と階調値とが示されている。
【００６０】
階調値−増加比率テーブル２９２は、ＣＭＹＫの各色について図１８に示すような階調値と増加比率との対応関係が示されている。この増加比率は、階調補正テーブル２８に基づいて増加比率演算手段１９により算出されるものである（後述）。
【００６１】
カラーチャンネルテーブル２２は、上述の画素ａ及び画素ｂについてのＣＭＹＫ１／２／３／４次色及びＷとＣＭＹの出力強度の組み合わせ関連付けて格納する。また、このカラーチャンネルテーブル２２は、画像記録部３で出力を行う際に各画素についてのＣＭＹの出力強度の組み合わせを決定するために用いられる。図４にカラーチャンネルテーブル２２の構成の一例を示す。図４には上述のＣＭＹＫ１／２／３／４次色及び白地（図中では、Ｗ（白）として表示）の出力強度の組み合わせの一例をＹの出力強度を最小値０から最大値１４０、Ｍ，Ｃの出力強度を最小値０から最大値１８０として示したものである（画素ｂについては、値を省略した。）。
【００６２】
ＣＭＹ出力強度−Ｌ＊ａ＊ｂ＊テーブル２３は、画像記録部３における出力特性を示すもので、例えば、ＣＭＹの出力強度の組み合わせに対応するＬ＊ａ＊ｂ＊表色系の値との相関関係を定義したＣＭＹ出力強度→Ｌ＊ａ＊ｂ＊  ＬＵＴである。図５にＣＭＹ出力強度−Ｌ＊ａ＊ｂ＊テーブル２３の一例を示す。図５は、Ｙを７等分して８段階で、Ｍ、Ｃを９等分して１０段階とした８×１０×１０＝８００通りの各段階の組み合わせと、その組み合わせに対応するＬ＊ａ＊ｂ＊表色系の値を示すものである。
【００６３】
また、ＣＭＹ出力強度−Ｌ＊ａ＊ｂ＊テーブル２３は、詳細は後述するが、Ｌ＊ａ＊ｂ＊表色系の値から各基本色の出力強度の組み合わせを求めるために利用されるものであり、その際には、ＣＭＹ出力強度→Ｌ＊ａ＊ｂ＊  ＬＵＴから、Ｌ＊ａ＊ｂ＊表色系の値に対応する各基本色の出力強度の組み合わせを定義したＬ＊ａ＊ｂ＊→ＣＭＹ出力強度  ＬＵＴを、例えば、本出願人による特開２００４−２７４５４６号の明細書に記載されているように収束演算処理をして求めて用いる。従って、本発明の「第３の参照テーブル」としては、Ｌ＊ａ＊ｂ＊→ＣＭＹ出力強度  ＬＵＴやＣＭＹ出力強度→Ｌ＊ａ＊ｂ＊  ＬＵＴなどでもよく、すなわち複数の基本色の出力強度とＬ＊ａ＊ｂ＊表色系の値との間の対応関係を示すものであればよい。
【００６４】
出力色テーブル２７は、図１０に示すように、上述のＣＭＹＫ１／２／３／４次色のそれぞれの画素ａの色、Ｗ、及び、画素ｂの色についてのＬ＊ａ＊ｂ＊表色系の値を格納する。また、図１０には上述のＣＭＹＫ１／２／３／４次色のそれぞれの画素ｂについてのＬ＊ａ＊ｂ＊表色系の値は省略した。
【００６５】
目標色テーブル２４は、画素ａ及び画素ｂを用いての色合わせの目標とする表色系の値が格納されている。具体的には、Ｗ、印刷機で印刷用紙にＣ，Ｍ，Ｙ，Ｋの各色のインキを用いて印刷したＣＭＹＫ１／２／３／４次色のベタ、及び、ＣＭＹＫ１／２／３／４次色の各色の中間色のＬ＊ａ＊ｂ＊表色系の値が予め格納されている。ここで、ベタとは、ＣＭＹＫ１／２／３／４次色の各色を構成する色の各網点の網点面積率（網％ということがある）が１００％、階調値であれば２５５階調のもので、ＣＭＹＫ１／２／３／４次色の各色の中間色とは、ＣＭＹＫ１／２／３／４次色の各色を構成する色の各網点の網％が０％を除く１００％未満で等しいものをいう。図６に、目標色テーブル２４の構成の一例を示すが、ＣＭＹＫ１／２／３／４次色の各色について、０階調から２５５階調までを１０等分した２６階調、５１階調、・・・、２０４階調、２３０階調（網％であれば、１０％、２０％・・・、８０％、９０％）の複数段階の中間色のＬ＊ａ＊ｂ＊表色系の値と、各色の０階調にＷのＬ＊ａ＊ｂ＊表色系の値と、各色の２５５階調にベタのＬ＊ａ＊ｂ＊表色系の値とを示す。
【００６６】
面積比テーブル２５は、ＣＭＹＫ１／２／３／４次色の各色について、中間色における各色を構成する色の面積比を格納したものである（面積比の算出方法については後述する。）。図７には、ＣＭＹＫ１／２／３／４次色の各色について、各色を構成する色版の網点を１０％刻み（１０％、２０％・・・８０％、９０％）になる２６階調、５１階調、・・・、２０４階調、２３０階調の中間色を構成する色についての面積比を示したものである。１次色は図２（ａ）に示したように、例えばＣであれば、Ｗ、Ｃａ及びＣｂで構成され、多次色は、Ｂ（２次色）を例とすれば、中間色では、図２（ｂ）にも示したように、ＣとＭの網点がずれて重なるために、Ｗ、Ｃａ、Ｃｂ、Ｍａ、Ｍｂ、Ｂａ及びＢｂで構成されることになる。そして、これらの各色の面積比を全体の面積に対するその色の割合で示し、例えば、Ｂの中間色におけるＢａは、（Ｂａの面積／全体の面積）が格納されている（具体的な面積比の算出方法については後述する。）。
【００６７】
階調補正テーブル記憶部２８は、図３３に構成を示すが、階調画像データが示す階調値で印刷機が出力するＣＭＹＫの各濃度を校正用カラープリンタで出力するように、階調画像データが示す階調値を入力値として、ＣＭＹＫそれぞれの階調値を補正するための第１の補正特性を示す階調補正テーブル（１）と、印刷機が出力するＣＭＹグレーの色調を校正用カラープリンタで出力するように、階調画像データが示す階調値を入力値として、ＣＭＹそれぞれの階調値を補正するための第２の補正特性を示す階調補正テーブル（２）とを格納する。
【００６８】
ＬＵＴ記憶部３０は、図３４に構成を示すが、カラーチャートを構成するカラーパッチの測定結果を記憶する測定テーブル３０１、校正用カラープリンタのＫ＝０におけるＣＭＹ階調値→Ｌ＊ａ＊ｂ＊  ＬＵＴ３０２（第１の参照テーブル）、校正用カラープリンタのＬ＊ａ＊ｂ＊→ＣＭＹ階調値  ＬＵＴ３０３（第２の参照テーブル）を記憶する（詳細後述）。
【００６９】
制御部１は、ＣＰＵ等の演算制御装置によって構成され、ＲＯＭやハードディスクドライブ等のプログラム格納部（図示省略）に格納されたコンピュータプログラムを実行することにより装置各部の制御を行う。制御部１は、当該コンピュータプログラムにしたがって、網点化手段１１、画素種別判別手段１２、画像記録制御手段１３、カラーチャンネル演算手段１４、色演算手段１５、階調補正テーブル作成手段１７、増加比率演算手段１９、面積比テーブル補正手段１８、及び、ＬＵＴ作成手段２０として動作する。また、色演算手段１５、階調補正テーブル作成手段１７、増加比率演算手段１９、面積比テーブル補正手段１８、及び、ＬＵＴ作成手段２０とで本発明の色調整値演算手段を構成する。
【００７０】
網点化手段１１は、階調画像データを網点基準データを用いたＡＭスクリーニング（Ａｍｐｌｉｔｕｄｅ  Ｍｏｄｕｌａｔｉｏｎ  Ｓｃｒｅｅｎｉｎｇ）により網点化を行うもので、所定の数の画素からなる領域（例えば１５画素×１５画素）ごとにその領域内の画素を出力する場合を「１」、出力しない場合を「０」で示して網点を形成し、その網点の大小を変化させて画像の濃淡を表現する各色版の網点画像データに変換する。また、変換した網点画像データを画像データ記憶部２１に記憶する。また、画素ｂの数を増加させる代わりに、同様に増加させる画素の色を画素ａと同じにすることや画素ｂや画素ａと異なる色にすることも可能である。
【００７１】
画素種別判別手段１２は、網点画線部の各色を画素ａ及び画素ｂで構成するために、網点画像データを構成する各画素について、画素ａまたはＷ（白）と画素ｂとの判別を行なう。本実施の形態においては、まず、図２（ａ）乃至（ｃ）で示したような網点の周縁部を画素ｂ、中心部を画素ａとする判別を行う判別手段としての機能と、さらに、網点に隣接する画素を、階調補正テーブル２８に基づいて求められる増加比率に従って、画素ｂの数を増加させて濃度調整を行う本発明の画素数調整手段としての機能を有する。また、本例では、画素ｂを増加させることで行うので画素数調整値として増加比率を求めるが、増加だけに限らず、画素数調整値として増減比率を求めて増減させて行うようにすることも可能であり、また、増減数を画素数調整値とし増減数に基づいて増減を行うようにすることも可能である。
【００７２】
ここで、まず、周縁部を画素ｂ、中心部を画素ａとする判別の一例について説明する。この場合には、図８に示す３×３のデジタルフィルタを用いる。各色版の網点画像データごとにデジタルフィルタを用いて走査し、デジタルフィルタの中央１２１に位置する画素について次のように判別を行う。各色版の網点画像データについて、中央に位置する画素１２１のデータが、出力しない「０」の場合には、画素ｂではないと判別し、中央に位置する画素１２１のデータが、出力する「１」の場合には、その周辺部の８つの画素１２２のうち２つ以上が出力しない「０」であればその中央に位置する画素１２１は画素ｂであると判別し、２つ未満の場合には画素ａすなわち画素ｂではないと判別する。そして、少なくともいずれか１つの色版について画素ｂであると判別された場合に、その画素は画素ｂとし、いずれの色版についても画素ｂであると判別されなかった場合に、その画素は画素ｂではないと判別する。このような判別により、図２（ａ）乃至（ｃ）に示すような網点画線部の各色の周縁部の画素を画素ｂとし、中心部を画素ａとすることができる。また、各画素の判別結果を画像データテーブル２６に格納する。
【００７３】
また、上述の３×３のデジタルフィルタを用いれば、周縁部にほぼ一列で画素ｂを構成するが、例えば５×５のデジタルフィルタを用いて周縁部に二列で画素ｂを構成するようにすることも可能であるし、判別に用いる周囲の画素の条件を変更することによっても画素ｂの構成を変更することも可能である。
【００７４】
また、このデジタルフィルタを用いる方法によれば、ベタ領域の周縁部も画素ｂとなる場合があるが、周縁部の数画素分であり色調にはほとんど影響がないのでベタ領域の周縁部も画素ｂが含まれても問題は無い。
【００７５】
次に、各色版の網点画像データの網点に隣接する画素を画素ｂとすることで濃度調整を行う一例について説明する。この場合には、例えば図１６に示す９×９のデジタルフィルタを用いて行う。各色版の網点画像データごとに９×９のデジタルフィルタを用いて走査し、９×９のデジタルフィルタの中央１２３に位置する画素の出力しない「０」の画素について次のように判別を行う。中央に位置する画素１２３の出力しない「０」の画素に出力する「１」の画素が隣接する場合に、まず、その画素を網点に隣接する画素として判定する。そして次に、その画素に隣接する網点を構成する階調画像データの階調値を推定し、階調値に応じて画素ｂとするか出力しない「０」の画素のままとするかを決定することで画素ｂの判別を行う。例えば、階調値の推定は、網点に隣接する画素と判定されたときに、９×９のデジタルフィルタ内の出力する「１」の画素の数を算出し、予め画素付加情報記憶部２９に格納されている画素数−階調値テーブル２９１を参照して階調値を推定する。階調値を推定したら、画素付加情報記憶部２９の階調値−増加比率テーブル２９２を参照してその階調値における増加比率を求め、画素ｂとする画素と出力しない「０」の画素のままとする画素の比率が求めた増加比率となるようにランダムに画素ｂとするか出力しない「０」の画素のままとするかを決定する。このように、各色版の網点に隣接する画素について階調値に応じて定められた増加比率に基づいて画素ｂとするか否かの判別を行う。画素ｂと判別した場合には、画像データテーブル２６のその画素を出力しない「０」から出力する「１」に書き換え（例えばＣ版についての判別であれば、Ｃについて出力しない「０」から出力する「１」への書き換えを行う）て、画素ｂである判別結果を格納する。これにより、画素ｂとしてＣについて出力しない「０」から出力する「１」への変更がなされた場合、その画素につての他の色版が出力しない「０」であれば、Ｃの画素ｂの色で出力され、例えばＭが出力する「１」（ＹＫは出力しない「０」）場合には、Ｂの画素ｂの色で出力され、階調値に応じて濃度調整がなされることになる。
【００７６】
上述の説明では、９×９のデジタルフィルタを用いて階調画像データの階調値を推定するように説明したが、網点の大きさを推定し、その推定した網点の大きさにおける増加比率を求めるようにしてもよい。その場合には、画素付加情報記憶部２９の画素数―階調値テーブル２９１を画素数と網点の大きさとの対応関係を示すものとし、階調値−増加比率テーブル２９２は網点の大きさと増加比率（画素数調整値）との対応関係を示すものとすればよい。
【００７７】
画像記録制御手段１３は、本発明の制御手段であり、Ｃ，Ｍ，Ｙ，Ｋの各色版毎に分版された網点画像データと画素種別判別手段１２による判別結果とから、ｎ個の各画素についてカラーチャンネルテーブル２２を参照して、ＣＭＹの出力強度の組み合わせを求め、その出力強度の組み合わせで出力するように画像記録部３を制御する。これを受けて画像記録部３では、各画素をそのＣＭＹの出力強度の組み合わせに対応する緑色（Ｇ）光、赤色（Ｒ）光、青色（Ｂ）光の強度で露光する。
【００７８】
ＣＭＹの出力強度の組み合わせは、具体的には網点画像データから、出力するべき色がＷまたはＣＭＹＫ１／２／３／４次色のうちのいずれであるかを判定し、さらに画素ｂか否かの判別結果から、該当のＣＭＹの出力強度の組み合わせをカラーチャンネルテーブル２２から以下のようにして求める。
【００７９】
図９の画像データテーブル２６には画素１から画素ｎのｎ個の各画素について、ＹＭＣＫの各色版の出力する「１」、出力しない「０」の組み合わせ、及び、画素種別判別手段１２での判別結果を画素ｂであるを「１」、画素ｂではないを「０」として示すものであるが、画素１は、ＫＣＭＹが「０」であるからＷかつ画素ｂではないので、ＣＭＹの出力強度の組み合わせを図４に示すカラーチャンネルテーブル２２の画素ａのＷ（白）に対応する値とし、画素２は、ＫＣＭＹが「０」であるからＷかつ画素ｂではないので、ＣＭＹの出力強度の組み合わせを図４に示すカラーチャンネルテーブル２２の画素ａのＷ（白）に対応する値とし、画素３は、Ｋが「１」ＣＭＹが「０」でかつ画素ｂであるので、ＣＭＹの出力強度の組み合わせを図４に示すカラーチャンネルテーブル２２の画素ｂのＫに対応する値とし、・・・・、画素ｋは、ＣＭが「１」ＫＹが「０」でかつ画素ｂであるので、ＣＭＹの出力強度の組み合わせを図４に示すカラーチャンネルテーブル２２の画素ｂのＢ（ＣＭ）に対応する値とし、画素ｋ＋１は、Ｍが「１」ＫＣＹが「０」でかつ画素ｂではないので、ＣＭＹの出力強度の組み合わせを図４に示すカラーチャンネルテーブル２２の画素ａのＭに対応する値とし、・・・・、画素ｎは、ＫＣＭＹが「０」であるからＷかつ画素ｂではないので、ＣＭＹの出力強度の組み合わせを図４に示すカラーチャンネルテーブル２２の画素ａのＷ（白）に対応する値とする。
【００８０】
色演算手段１５は、ＣＭＹＫ１／２／３／４次色のそれぞれについて画素ａの色のＬ＊ａ＊ｂ＊表色系の値を目標色テーブル２４に格納されている対応するＣＭＹＫ１／２／３／４次色のベタの表色系の値として出力色テーブル２７に格納する第１の色演算手段としての機能と、画素ｂの色のＬ＊ａ＊ｂ＊表色系の値を、目標色テーブル２４に格納されているＣＭＹＫ１／２／３／４次色のベタの表色系の値、ＣＭＹＫ１／２／３／４次色の各色の中間色のＬ＊ａ＊ｂ＊表色系の値、及び、ＷのＬ＊ａ＊ｂ＊表色系の値を用いて、面積比テーブル２４に基づいて演算して求め（詳細は後述する。）出力色テーブル２７に格納する第２の色演算手段としての機能を有する。
【００８１】
カラーチャンネル演算手段１４は、出力色テーブル２７に格納されているＣＭＹＫ１／２／３／４次色についての画素ａ及び画素ｂの色のＬ＊ａ＊ｂ＊表色系の値に対応するＣＭＹ出力強度の組み合わせをＣＭＹ出力強度−Ｌ＊ａ＊ｂ＊テーブル２３に基づいて求め、各色についてのＣＭＹ出力強度の組み合わせを示すカラーチャンネルを生成する。したがって、本発明の生成手段としての機能を有する。
【００８２】
例えば、本出願人による特開２００４−２７４５４６号の明細書に記載されているように、ＣＭＹ出力強度→Ｌ＊ａ＊ｂ＊  ＬＵＴからＬ＊ａ＊ｂ＊→ＣＭＹ出力強度  ＬＵＴを求める。そして、ＣＭＹ出力強度の組み合わせを求めるＬ＊ａ＊ｂ＊表色系の値について、Ｌ＊ａ＊ｂ＊→ＣＭＹ出力強度  ＬＵＴの入力点からそのＬ＊ａ＊ｂ＊表色系の値の近傍のＬ＊２点（Ｌ１、Ｌ２）、ａ＊２点（ａ１、ａ２）、ｂ＊２点（ｂ１、ｂ２）を組み合わせた８点についてのＣ，Ｍ，Ｙの出力強度と、Ｌ＊ａ＊ｂ＊表色系の値のＬ＊ａ＊ｂ＊各値の各入力点との距離とから、格納されているＬ＊ａ＊ｂ＊表色系の値に対するＣ，Ｍ，Ｙの出力強度の組み合わせを求めることができる。
【００８３】
階調補正テーブル作成手段１７は、階調補正特性作成手段としての機能を有し、色演算手段１５で求められ出力色テーブル２７に格納されるＣＭＹＫ１次色の各画素ｂの色を用いて出力する場合のＣＭＹＫ１次色の複数段階の中間色の各濃度値と、目標色テーブル２４に格納されるＣＭＹＫ１次色のＬ＊ａ＊ｂ＊表色系の値から求められる各色の複数段階の中間色の濃度値とから、補正特性を示すＣＭＹＫの各階調補正テーブル（１）、及び、カラーチャート（後述）の測色結果と目標色テーブル２４に記憶されている印刷機で印刷したＣＭＹグレー（ＣＭＹＫ３次色のＣＭＹ）の表色系の値とを用いてＣＭＹについての各階調補正カーブ（２）を求める（詳細後述）。
【００８４】
増加比率演算手段１９は、各色版について、階調補正テーブル（１）の補正特性に基づき、例えば、各階調値について濃度調整するための画素ｂの数の増加比率を算出する機能を有するとともに、階調補正テーブル（２）の補正特性に基づき、階調補正テーブル（１）に基づいて求めた増加比率を補正する画素数調整値補正手段としての機能を有する（詳細後述）。
【００８５】
面積比テーブル補正手段１８は、面積比補正手段としての機能を有し、増加比率演算手段１９が階調補正テーブル２８に基づいて算出する増加比率に応じて、面積比テーブル２５に格納されているＣＭＹＫ１／２／３／４次色の各色について、中間色を構成する色についての面積比を補正する（詳細後述）。
【００８６】
ＬＵＴ作成手段２０は、測定テーブル３０１に記憶される測定結果に基づいて、ＣＭＹ階調値→Ｌ＊ａ＊ｂ＊  ＬＵＴ３０２、Ｌ＊ａ＊ｂ＊→ＣＭＹ階調値  ＬＵＴ３０３を作成する（詳細後述）。
【００８７】
入力部４は、例えば、ＣＭＹ出力強度−Ｌ＊ａ＊ｂ＊テーブル２３、目標色テーブル２４、面積比テーブルに格納する各数値などを入力するためのものである。また、例えば、測定器と接続するためのインターフェイスや、面積比、測色結果などが入力されたＦＤ（Ｆｌｏｐｐｙ（登録商標）  Ｄｉｓｋ）等を出し入れ可能に装着する読取装置のようなものであってもよい。
【００８８】
画像データ受付手段５は、送受信インターフェイス回路などから構成され、図示しない外部端末から送信された上述の階調画像データを受信する。また、階調画像データなどが入力されたＣＤ−ＲＯＭ（Ｃｏｍｐａｃｔ  Ｄｉｓｋ  Ｒｅａｄ−Ｏｎｌｙ  Ｍｅｍｏｒｙ）等を出し入れ可能に装着する読取装置のようなものであってもよい。
【００８９】
〔カラー画像形成方法〕
次に、本発明のカラー画像形成方法を適用した本実施の形態の校正用カラープリンタにおける各処理の手順についてフローチャートを用いて説明する。
【００９０】
図１１は、色合わせの目標となる印刷機の出力色に合わせるように色調整を行いカラー画像を形成する手順の一例を示すフローチャートである。以下、各ステップを、例えば図１１ステップＳ１１であれば省略してＳ１１と表示すことにする。他のステップも同様である。
【００９１】
まず、図５に示すＣＭＹ出力強度−Ｌ＊ａ＊ｂ＊テーブル２３を予め格納する（Ｓ１１）。図５に示すＣＭＹ出力強度−Ｌ＊ａ＊ｂ＊テーブル２３は、Ｙを７等分して８段階で、Ｍ、Ｃを９等分して１０段階として、各段階の組み合わせで構成される８×１０×１０＝８００通りの各パッチを画像記録部３で出力し測定して得られた、各組み合わせとその組み合わせに対応するＬ＊ａ＊ｂ＊表色系の値から構成されるものである。
【００９２】
また、図７に示すような面積比テーブル２５を、予め格納する（Ｓ１２）。面積比テーブルは、ＣＭＹＫ１／２／３／４次色の各色について、０階調から２５５階調までを１０等分する階調値（２６階調、５１階調、・・・、２０４階調、２３０階調）の中間色における各色を構成する色の面積比を格納したものである。また、面積比テーブル２５を構成する面積比は、次のようにして求めることができる。例えば、ＣＭＹＫ１／２／３／４次色の各色を構成する色の０階調から２５５階調までを１０等分する階調値（２６階調、５１階調、・・・、２０４階調、２３０階調）となる複数のパッチを構成する階調画像データ（例えば、Ｂを例とすれば、２６階調のパッチはＣ２６階調Ｍ２６階調Ｙ０階調Ｋ０階調の画素で、５１階調のパッチはＣ５１階調Ｍ５１階調Ｙ０階調Ｋ０階調の画素で、・・・、２３０階調のパッチはＣ２３０階調Ｍ２３０階調Ｙ０階調Ｋ０階調の画素で構成される画像データである。）を、校正用カラープリンタの網点化手段１１が行う網点化と同じ網点化を行い、さらに、画素種別判別手段１２が行う網点の周縁部を画素ｂ、中心部を画素ａとする判別と同じ判別を行いその結果から、以下のようにして求められる。１次色については、一つの網点を構成する領域のＷの画素数、画素ａの数及び画素ｂの数から、各画素数の一つの網点を構成する領域の画素数に対する割合が面積比として容易に求めることができる。しかし、２次色以上の多次色では、各色版のスクリーン角度が異なるので、各網点は、ずれて重なるので一つの網点を構成する程度の領域では選択した位置により面積比が異なってしまうので、網点のずれを考慮し誤差が小さくなるような大きさの領域以上の大きさのパッチを用いることが望ましく、各パッチについて、例えば、図９に示したような画像データテーブルを作成し、そのパッチを構成する色について、そのパッチの中の各色の画素数をカウントし、そのパッチを構成する画素数に対する割合を求めることにより決定することができる。例えば、Ｂのパッチであれば、Ｂのパッチを構成する色は図７に示すようにＣａ、Ｃｂ、Ｍａ、Ｍｂ、Ｂａ、Ｂｂ、Ｗの７色であるから、その７色についての画素数のパッチを構成する画素数に対する割合を面積比として求める。以下、各色の面積比を、各色の前にｆを付して示すことにする。例えばＢを例とすれば、各面積比は、ｆＣａ、ｆＣｂ、ｆＭａ、ｆＭｂ、ｆＢａ、ｆＢｂ、ｆＷと表示する。
【００９３】
これらのテーブルは、入力部４を介して制御部１が受け付けて作成することや、制御部１が自己のプログラム格納部に格納するコンピュータプログラムに書き込んでおき、制御部１がそのコンピュータプログラムに基づいて作成してもよい。
【００９４】
次に、入力部４からの色合わせの目標となる印刷機で印刷用紙にＣ，Ｍ，Ｙ，Ｋの各色のインキを用いて印刷したＣＭＹＫ１／２／３／４次色のベタのＬ＊ａ＊ｂ＊表色系の値、印刷用紙の色のＬ＊ａ＊ｂ＊表色系の値、及び、ＣＭＹＫ１／２／３／４次色の各色の中間色のＬ＊ａ＊ｂ＊表色系の値の入力を受け付けて、制御部１が記憶部２の目標色テーブル２４（図６参照）に書き込む（Ｓ１３）。例えば、入力するＬ＊ａ＊ｂ＊表色系の値は、ＣＭＹＫ１／２／３／４次色の各色を構成する色版の網点が１０％刻み（０％、１０％、２０％・・・９０％、１００％）となる０階調から２５５階調までを１０等分する階調値（０階調、２６階調、５１階調、・・・、２０４階調、２３０階調、２５５階調）の中間色、印刷用紙の色、及び、ベタの各パッチを含むカラーチャートを印刷機で印刷用紙に印刷し測色したものである。
【００９５】
そして、色演算手段１５は、目標色テーブル２４に格納されたＷ、印刷機で印刷用紙にＣ，Ｍ，Ｙ，Ｋの各色のインキを用いて印刷したＣＭＹＫ１／２／３／４次色のベタ、及び、ＣＭＹＫ１／２／３／４次色の各色の中間色のＬ＊ａ＊ｂ＊表色系の値と面積比テーブル２５に格納された面積比から、ＣＭＹＫ１／２／３／４次色の各色についての画素ａ及び画素ｂの色のＬ＊ａ＊ｂ＊表色系の値を求め、制御部１の色調整値演算手段としての機能により、階調補正テーブル（１）や増加比率などの色調整値を求める（Ｓ１４）。ここで、図１２に示すフローチャートを用いて詳細に説明する。図１２は、画素ａ及び画素ｂのＬ＊ａ＊ｂ＊表色系の値、及び、階調補正テーブル（１）や増加比率などの色調整値を求める手順を示すフローチャートである。
【００９６】
初めに、色演算手段１５は、印刷機で印刷用紙にＣ，Ｍ，Ｙ，Ｋの各色のインキを用いて印刷したＣＭＹＫ１／２／３／４次色のベタのそれぞれの表色系の値を、ＣＭＹＫ１／２／３／４次色の各色についてのそれぞれの画素ａの色の表色系の値とし、それらの画素ａの色の表色系の値とＷのＬ＊ａ＊ｂ＊表色系の値を出力色テーブル２７に格納する（Ｓ２１）。
【００９７】
そして、まず、ＣＭＹＫ１次色の各色についての画素ｂの色を、目標色テーブル２４に格納されたＣＭＹＫ１次色の各色の中間色のＬ＊ａ＊ｂ＊表色系の値と、出力色テーブル２７に格納されたＷのＬ＊ａ＊ｂ＊表色系の値及びＣＭＹＫ１次色の画素ａの色のＬ＊ａ＊ｂ＊表色系の値と、面積比テーブル２５の中間色におけるＣＭＹＫ１次色の各色を構成する色の面積比を用いて求め、出力色テーブル２７に格納する（Ｓ２２）。以下の演算では表色系の値としてＸＹＺ表色系の値を用いる。それは、ＸＹＺ表色系の値は光量に線形な値であるため、複数の色で構成される色は、その構成する色のＸＹＺ表色系の値と面積比との積の和で示すことができるからである。また、ＸＹＺ表色系の値は、〔発明を実施するための最良の形態〕の冒頭に述べたようにしてＬ＊ａ＊ｂ＊表色系の値からを求めることでき、ＸＹＺ表色系の値からＬ＊ａ＊ｂ＊表色系の値を求めることができる。
【００９８】
例えば、図２（ａ）に示すＣを例に説明する。ここで、Ｃの中間色の目標とするＸ値をＸＣ、Ｙ値をＹＣ、Ｚ値をＺＣとする。また、Ｃの中間色は図２（ａ）に示すようにＷの画素、Ｃａの画素、Ｃｂの画素で構成されているので、ＷのＸ値をＸＷ、Ｙ値をＹＷ、Ｚ値をＺＷ、Ｃの画素ａの色Ｃａの色のＸ値をＸＣａ、Ｙ値をＹＣａ、Ｚ値をＺＣａ、画素ｂの色ＣｂのＸ値をＸＣｂ、Ｙ値をＹＣｂ、Ｚ値をＺＣｂとし、その中間色におけるＷの面積比をｆＷ、Ｃの画素ａの面積比をｆＣａ、Ｃの画素ｂの面積比をｆＣｂとすれば、Ｃの中間色のＸ値のＸＣ、Ｙ値のＹＣ、Ｚ値のＺＣは、構成する色のＸＹＺ表色系の値と面積比との積をそれぞれ加算した合計値で示すことができるので、
ＸＣ＝ｆＷ×ＸＷ＋ｆＣａ×ＸＣａ＋ｆＣｂ×ＸＣｂ、
ＹＣ＝ｆＷ×ＹＷ＋ｆＣａ×ＹＣａ＋ｆＣｂ×ＹＣｂ、
ＺＣ＝ｆＷ×ＺＷ＋ｆＣａ×ＺＣａ＋ｆＣｂ×ＺＣｂ
と表すことができる。
【００９９】
上記式のＣｂ以外のＸＹＺ値は、Ｃの中間色の目標とするＸＣ、ＹＣ、ＺＣは目標色テーブル２４に格納されたＣの中間色のＬ＊ａ＊ｂ＊表色系の値から求め、ＣａのＸＣａ、ＹＣａ、ＺＣａは出力色テーブル２７に格納されたＣの画素ａの色のＬ＊ａ＊ｂ＊表色系の値から求められ、各面積比は、面積比テーブル２５に格納されている。したがって上記式の右辺の表色系の値の合計値が左辺表色系の値となるように、画素ｂの色のＸ値のＸＣｂ、Ｙ値のＹＣｂ、Ｚ値のＺＣｂを求めることができる。
【０１００】
例えば、上式を用いて各中間色における画素ｂの色のＸ値のＸＣｂ、Ｙ値のＹＣｂ、Ｚ値のＺＣｂを求めて、その各結果の平均値などをＣについての画素ｂの色のＸ値のＸＣｂ、Ｙ値のＹＣｂ、Ｚ値のＺＣｂを決定してもよい。さらに、後で画素ｂの数を増加比率に基づいて増加させて濃度調整を行うので、前記誤差が小さくなるとともに、目標とする中間色の濃度を超えない色を選択する。濃度を示すような値として〔発明を実施するための最良の形態〕の冒頭で述べたように、ＣについてはＸｄを、Ｍ及びＫについてはＹｄを、ＹについてはＺｄを濃度の値とし、計算に用いる画素ｂの色を含んで構成される中間色の濃度（具体的には、計算に用いる画素ｂの色の表色系の値と、出力色テーブル２７に格納したＷのＬ＊ａ＊ｂ＊表色系の値及びＣＭＹＫ１次色の画素ａの色のＬ＊ａ＊ｂ＊表色系の値と各ＸＹＺ値を求めて、そのＸＹＺ値と面積比テーブル２５の中間色におけるＣＭＹＫ１次色の各色を構成する色の面積比を、上記画素ｂを求める際に用いた式の右辺に代入して、校正用カラープリンタで出力する各色の中間色のＸＹＺ値求め、さらにそのＸＹＺ値から求める。）と、目標色テーブル２４に格納されたＣＭＹＫ１次色の各色の中間色のＬ＊ａ＊ｂ＊表色系の値に基づく濃度を求めて比較すればよい。また、図５に示すＣＭＹ出力強度−Ｌ＊ａ＊ｂ＊テーブル２３よりさらに細い段階の基本色強度のＬ＊ａ＊ｂ＊表色系の値を補間により求めておきそれを用いて演算を行うことは更に好ましい。また、求めたＸＹＺ表色系の値は、ＣＭＹ出力強度−Ｌ＊ａ＊ｂ＊テーブル２３に基づいてＣＭＹ出力強度の組み合わせを求めるのでＬ＊ａ＊ｂ＊表色系の値に変換しておく。同様にして、Ｍ、Ｙ、Ｋについても画素ｂの色のＬ＊ａ＊ｂ＊表色系の値を求め、出力色テーブル２７に格納する。
【０１０１】
次に、ＣＭＹＫについて階調補正テーブル（１）を作成する（Ｓ２３）。具体的には、Ｓ２２で求めたＣＭＹＫ１次色の各色についての画素ｂの色の表色系の値と、出力色テーブル２７に格納したＷのＬ＊ａ＊ｂ＊表色系の値及びＣＭＹＫ１次色の画素ａの色のＬ＊ａ＊ｂ＊表色系の値と各ＸＹＺ値を求めて、そのＸＹＺ値と面積比テーブル２５の中間色におけるＣＭＹＫ１次色の各色を構成する色の面積比を、上記画素ｂを求める際に用いた式の右辺に代入して、校正用カラープリンタで出力する各色の中間色のＸＹＺ値求め、さらにそのＸＹＺ値から、濃度を示すような値として〔発明を実施するための最良の形態〕の冒頭で述べたように、ＣについてはＸｄを、Ｍ及びＫについてはＹｄを、ＹについてはＺｄを濃度の値として求め、一方、目標色テーブル２４に格納されたＣＭＹＫ１次色の各色の中間色のＬ＊ａ＊ｂ＊表色系の値から、同様に、ＣについてはＸｄを、Ｍ及びＫについてはＹｄを、ＹについてはＺｄを濃度の値として求めて、双方の濃度値を比較することにより、入力値とする階調値と、その階調値で印刷機が出力する濃度を校正用カラープリンタで出力するような階調値を出力値として関連付けた補正特性を作成し、ＣＭＹＫ各色の階調補正テーブル（１）とする。
【０１０２】
例えば、Ｃを例に説明する。図１４に複数段階の階調値に対し印刷機が出力するＣの中間色のＸｄを示す曲線、及び、校正用カラープリンタが出力するＣの中間色のＸｄを示す曲線を併記した図を示す。それぞれの曲線は、１３階調、２６階調、３８階調、５１階調、・・・、２１７階調、２３０階調、２４２階調の複数段階の中間色に対する各値から補間して求めたものである。そして、例えば、１３階調で印刷機が出力するＣの中間色のＸｄとなる校正用カラープリンタの出力するＣにおける階調値２０を求め、同様に、２６階調、３８階調、５１階調、・・・、２１７階調、２３０階調、２４２階調についての階調値を求める。各階調値のＣ入力値に対応するＣ出力値の補正特性を階調補正テーブルとして表示したものを図１５に示し、階調補正カーブとしてグラフ表示したものを図３２に示す。Ｍ及びＫについてはＹｄを用いて、ＹについてはＺｄを用いて同様に作成する。
【０１０３】
また、校正用カラープリンタで出力する各色の中間色のＸＹＺ値を演算して求めるように説明したが、求めた画素ｂの色で実際に中間色のカラーパッチを出力（画素ｂの色等を出力するためのカラーチャンネル等については後述）して、出力結果を測定することで、印刷機の中間色のカラーパッチの出力結果と比較し、階調補正テーブル（１）を作成してもよい。
【０１０４】
次に、増加比率演算手段１９は、ＣＭＹＫのそれぞれについて増加比率を求める（Ｓ２４）。さて、本実施の形態では、画素種別判別手段１２により、階調値に対する増加比率に基づいて画素ｂを増加して階調値ごとに濃度調整を行うことができる。したがって、階調補正テーブル（１）が示す補正特性に基づいて濃度調整するための増加比率を各階調値について求める必要がある。
【０１０５】
まず、画素ｂの増加数（１）を求める。増加数（１）を求める対象の階調値に対する補正関係に示される出力側の階調値における濃度値と、対象の階調値においてｆＷ、ｆＣｂを画素ｂの増加数に応じて変化させて求められるＸＹＺ値からさらに求められる濃度値とを比較して差が最も小さくなる画素ｂの増加数（１）を求める。そして、対象の階調値における網点に隣接する画素の数で求めた増加数（１）を除算した結果を、増加比率として求める。この場合、出力側の階調値における濃度値などは補間により求めればよい。そして、求めた増加比率を画素種別判別情報記憶部２９の階調値−増加比率テーブル２９２に書き込む。一方、面積比テーブル補正手段１８に、各階調値における増加比率を送る。
【０１０６】
さらに、面積比テーブル補正手段１８は、面積比テーブル２５に格納されている面積比を、各階調値のＣＭＹＫの網点を画素ａ及び画素ｂで構成するとともに、画素ｂをＳ２４で求めた増加比率に基づいて増加させて出力して得られる網点画線部における中間色を構成する各色の面積比に補正する（Ｓ２５）。具体的には、ＣＭＹＫ１／２／３／４次色の各色を構成する色の２６階調、５１階調、・・・、２０４階調、２３０階調となる複数のパッチについて、画像種別判別手段１２が行う網点の周縁部を画素ｂ、中心部を画素ａとする判別、及び、網点に隣接する画素を、階調補正テーブル（１）に基づいて求められる増加比率に従って、画素ｂとする判別を行う場合の各パッチを構成する各色の画素数から上述したように各面積比を求め、面積比テーブル２５の面積比を補正する。
【０１０７】
そして、ＣＭＹＫ２次色の各色についての画素ｂの色を、目標色テーブル２４に格納されたＣＭＹＫ２次色の各色の中間色のＬ＊ａ＊ｂ＊表色系の値と、出力色テーブル２７に格納されたＷのＬ＊ａ＊ｂ＊表色系の値、ＣＭＹＫ１／２次色の画素ａの色のＬ＊ａ＊ｂ＊表色系の値、及び、Ｓ２２で求めたＣＭＹＫ１次色の画素ｂのＬ＊ａ＊ｂ＊表色系の値（ＸＹＺ表色系の値をそのまま用いてもよい）と、面積比テーブル２５の中間色におけるＣＭＹＫ２次色の各色の各色を構成する色のＳ２５で補正された面積比を用いて求め、出力色テーブル２７に格納する（Ｓ２６）。
【０１０８】
例えば、図２（ｂ）に示すＢを例に説明する。ここで、Ｂの中間色の目標とする色のＸ値をＸＢ、Ｙ値をＹＢ、Ｚ値をＺＢとする。また、Ｂの中間色は図２（ｂ）に示すようにＷの画素、Ｃａの画素、Ｃｂの画素、Ｍａの画素、Ｍｂの画素、Ｂａの画素、Ｂｂの画素で構成されているので、ＷのＸ値をＸＷ、Ｙ値をＹＷ、Ｚ値をＺＷ、Ｃの画素ａの色ＣａのＸ値をＸＣａ、Ｙ値をＹＣａ、Ｚ値をＺＣａ、画素ｂの色ＣｂのＸ値をＸＣｂ、Ｙ値をＹＣｂ、Ｚ値をＺＣｂ、Ｍの画素ａの色ＭａのＸ値をＸＭａ、Ｙ値をＹＭａ、Ｚ値をＺＭａ、画素ｂの色ＭｂのＸ値をＸＭｂ、Ｙ値をＹＭｂ、Ｚ値をＺＭｂ、Ｂの画素ａの色ＢａのＸ値をＸＢａ、Ｙ値をＹＢａ、Ｚ値をＺＢａ、画素ｂの色ＢｂのＸ値をＸＢｂ、Ｙ値をＹＢｂ、Ｚ値をＺＢｂとし、Ｓ２５で補正されたその中間色におけるＷの面積比をｆＷ´、Ｃの画素ａの面積比をｆＣａ´、Ｃの画素ｂの面積比をｆＣｂ´、Ｍの画素ａの面積比をｆＭａ´、Ｍの画素ｂの面積比をｆＭｂ´、Ｂの画素ａの面積比をｆＢａ´、Ｂの画素ｂの面積比をｆＢｂ´とすれば、Ｂの中間色のＸ値のＸＢ、Ｙ値のＹＢ、Ｚ値のＺＢは、
ＸＢ＝ｆＷ´×ＸＷ＋ｆＣａ´×ＸＣａ＋ｆＣｂ´×ＸＣｂ＋ｆＭａ´×ＸＭａ＋ｆＭｂ´×ＸＭｂ＋ｆＢａ´×ＸＢａ＋ｆＢｂ´×ＸＢｂ、
ＹＢ＝ｆＷ´×ＹＷ＋ｆＣａ´×ＹＣａ＋ｆＣｂ´×ＹＣｂ＋ｆＭａ´×ＹＭａ＋ｆＭｂ´×ＹＭｂ＋ｆＢａ´×ＹＢａ＋ｆＢｂ´×ＹＢｂ、
ＺＢ＝ｆＷ´×ＺＷ＋ｆＣａ´×ＺＣａ＋ｆＣｂ´×ＺＣｂ＋ｆＭａ´×ＺＭａ＋ｆＭｂ´×ＺＭｂ＋ｆＢａ´×ＺＢａ＋ｆＢｂ´×ＺＢｂ、
と表すことができる。
【０１０９】
上記式のＢｂ以外のＸＹＺ値は、１次色の場合と同様に目標色テーブル２４に格納されたＬ＊ａ＊ｂ＊表色系の値と、出力色テーブル２７に格納されたＬ＊ａ＊ｂ＊表色系の値とから求められ、補正された各面積比は、面積比テーブル２５に格納されている。したがって上記式から、１次色の場合と同様に画素ｂの色のＸ値をＸＢｂ、Ｙ値をＹＢｂ、Ｚ値をＺＢｂを求め、Ｌ＊ａ＊ｂ＊表色系の値を求めることができる。同様にして、Ｒ、Ｇ、ＫＣ、ＫＭ、ＫＹについても画素ｂの色のＬ＊ａ＊ｂ＊表色系の値を求める。
【０１１０】
さらに、ＣＭＹＫ３次色の各色についての画素ｂの色を、目標色テーブル２４に格納されたＣＭＹＫ３次色の各色の中間色のＬ＊ａ＊ｂ＊表色系の値と、出力値テーブル２７に格納されたＷのＬ＊ａ＊ｂ＊表色系の値と、ＣＭＹＫ１／２／３次色の画素ａの色のＬ＊ａ＊ｂ＊表色系の値、及び、Ｓ２２及びＳ２６で求めたＣＭＹＫ１／２次色の画素ｂのＬ＊ａ＊ｂ＊表色系の値（ＸＹＺ表色系の値でもよい）と、面積比テーブル２５の中間色におけるＣＭＹＫ３次色の各色を構成する色のＳ２５で補正された面積比を用いて求める（Ｓ２７）。詳細な演算式は省略するが、Ｓ２６と同様に３次色の中間色のＬ＊ａ＊ｂ＊表色系の値と、ＷのＬ＊ａ＊ｂ＊表色系の値と、３次色を構成する画素ａ及び画素ｂの各色との表色系の値と、それらの色の補正された面積比とから、３次色の画素ｂの色のＬ＊ａ＊ｂ＊表色系の値を求める。
【０１１１】
さらに次に、ＣＭＹＫ４次色についての画素ｂの色を、目標色テーブル２４に格納されたＣＭＹＫ４次色の中間色のＬ＊ａ＊ｂ＊表色系の値と、出力値テーブル２７に格納されたＷのＬ＊ａ＊ｂ＊表色系の値と、ＣＭＹＫ１／２／３／４次色の画素ａのＬ＊ａ＊ｂ＊表色系の値、及び、Ｓ２２、Ｓ２６及びＳ２７で求めたＣＭＹＫ１／２／３次色の画素ｂのＬ＊ａ＊ｂ＊表色系の値（ＸＹＺ表色系の値でもよい）と、面積比テーブル２５のＣＭＹＫ４次色の中間色を構成する色の補正された面積比を用いて求める（Ｓ２８）。詳細な演算式は省略するが、Ｓ２６と同様に４次色の中間色のＬ＊ａ＊ｂ＊表色系の値と、ＷのＬ＊ａ＊ｂ＊表色系の値と、４次色を構成する画素ａ及び画素ｂの各色との表色系の値と、それらの色の面積比とから、４次色の画素ｂの色のＬ＊ａ＊ｂ＊表色系の値を求める。
【０１１２】
次に、図１１に戻り、カラーチャンネル演算手段１４は、出力色テーブル２７に格納されたＷのＬ＊ａ＊ｂ＊表色系の値、ＣＭＹＫ１／２／３／４次色の画素ａの色のＬ＊ａ＊ｂ＊表色系の値、及び、ＣＭＹＫ１／２／３／４次色の画素ｂのＬ＊ａ＊ｂ＊表色系の値からＣＭＹ出力強度−Ｌ＊ａ＊ｂ＊テーブル２３に基づいてＣＭＹ出力強度の組み合わせを求め、カラーチャンネルテーブル２２を生成する（Ｓ１５）。上述したように、例えば、本出願人による特開２００４−２７４５４６号の明細書に記載されているように、ＣＭＹ→Ｌ＊ａ＊ｂ＊  ＬＵＴからＬ＊ａ＊ｂ＊→ＣＭＹ  ＬＵＴを求める。そして、ＣＭＹ出力強度の組み合わせを求めるＬ＊ａ＊ｂ＊表色系の値について、Ｌ＊ａ＊ｂ＊→ＣＭＹ  ＬＵＴの入力点からそのＬ＊ａ＊ｂ＊表色系の値の近傍のＬ＊２点（Ｌ１、Ｌ２）、ａ＊２点（ａ１、ａ２）、ｂ＊２点（ｂ１、ｂ２）を組み合わせた８点についてのＣ，Ｍ，Ｙの出力強度と、Ｌ＊ａ＊ｂ＊表色系の値のＬ＊ａ＊ｂ＊各値の各入力点との距離とから、格納されているＬ＊ａ＊ｂ＊表色系の値に対するＣ，Ｍ，Ｙの出力強度の組み合わせを求めることができる。
【０１１３】
ここで、ＣＭＹグレーの色調を合わせるためにＣＭＹのそれぞれについて増加比率を補正する。そのために、まず、校正用カラープリンタで、これまでに求めた増加比率及び生成されたカラーチャンネルテーブル２２を用いてＫ＝０でＣＭＹの各階調値を変化させた複数のパッチを含むカラーチャートを出力し、そのカラーチャートの測色結果と目標色テーブル２４に格納されている印刷機で印刷したＣＭＹグレー（ＣＭＹＫ３次色のＣＭＹ）の表色系の値とを用いてＣＭＹの増加比率を補正する（Ｓ１６）。Ｓ１６における増加比率の補正の手順の詳細について図３１に示すフローチャートを用いて以下に説明する。
【０１１４】
まず、Ｃ、Ｍ、Ｙそれぞれの最小値０から２５５までを４分割し、０、６４、１２８、１９１、２５５の５段階をとり、Ｃ×Ｍ×Ｙ：５×５×５＝１２５点の組合せについてカラーパッチを配置した図２０のようなカラーチャートを校正用カラープリンタで出力し、５×５×５＝１２５点の各パッチを順番に測定してＬ＊ａ＊ｂ＊表色系の値を求める。この測色結果は、入力部４を介してＬＵＴ記憶部３０の測定テーブル３０１に格納される（Ｓ４１）。
【０１１５】
ただし、上述のカラーチャートは校正用カラープリンタで、Ｓ１４で求めた増加比率及びＳ１５で生成されたカラーチャンネルテーブル２２を用いて出力される。すなわち、画像データ受付手段５で、カラーチャートを示す階調画像データを受け付け、網点化手段１１は、カラーチャートを示す階調画像データの網点化を行い、各色版の網点画像データを作成する。
そして、画像種別判別手段１２で各色版の網点画像データの網点周縁部の画素について、例えば上述したように３×３のデジタルフィルタを用いて、画素ｂであるか否かの判別を行い、判別結果と網点画像データに基づいて画像データテーブル２６を作成し、さらに、各色版の網点画像データの網点に隣接する画素について、例えば上述したように９×９のデジタルフィルタを用いて、隣接する網点の階調値を推定し、その階調値の増加比率に基づいて画素ｂであるか否かの判別を行い、判別結果を画像データテーブルに反映するとともに、画素ｂとして判別された画素のデータを書き換える。そして、画像記録制御手段１３は、画像データテーブル２６に示される各画素の出力するべき色（ＷまたはＣＭＹＫ１／２／３／４次色のうちのいずれか）と、画像種別判別手段１２での判別結果とから、カラーチャンネルテーブル２２を参照してＣＭＹの出力強度の組み合わせを求め、その出力強度の組み合わせで出力するように画像記録部３を制御し、画像記録部３はその制御に従って画像形成を行うことにより出力される。
【０１１６】
そして、この測色結果を用いて、まず、ＬＵＴ作成手段１９は、ＣＭＹ階調値→Ｌ＊ａ＊ｂ＊  ＬＵＴを作成する（Ｓ４２）。ＣＭＹ階調値→Ｌ＊ａ＊ｂ＊  ＬＵＴは、例えば、図１９に示すようになり、ＣＭＹのＬＵＴ入力点に対しＬ＊ａ＊ｂ＊表色系の値が入る３次元入力／３次元出力であり、９×９×９の格子点の間の点について、５×５×５＝１２５点の各パッチを９×９×９の各パッチに補間を行う。図２１に示すように、黒丸●を格子点（サンプル点）とし、△印と×印を夫々補間すべき点とすると、△印のように前後２点ずつ格子点が存在する場合と、×印のように前後に１点及び３点ある場合とでは、異なった補間式が使用される。
【０１１７】
ここで補間すべき点の表色系をＬｍ＊ａｍ＊ｂｍ＊とし、各サンプル点の表色系をＬｉ＊ａｉ＊ｂｉ＊（ｉ＝１〜４）としたとき、前者（△印）の場合は以下のような補間式で、
Ｌｍ＊＝−（１／１６）Ｌ１＊＋（９／１６）Ｌ２＊＋（９／１６）Ｌ３＊−（１／１６）Ｌ４＊
ａｍ＊＝−（１／１６）ａ１＊＋（９／１６）ａ２＊＋（９／１６）ａ３＊−（１／１６）ａ４＊
ｂｍ＊＝−（１／１６）ｂ１＊＋（９／１６）ｂ２＊＋（９／１６）ｂ３＊−（１／１６）ｂ４＊
と補間される。
【０１１８】
また、後者（×印）の場合には次の補間式で、
Ｌｍ＊＝（５／１６）Ｌ１＊＋（１５／１６）Ｌ２＊−（５／１６）Ｌ３＊−（１／１６）Ｌ４＊
ａｍ＊＝（５／１６）ａ１＊＋（１５／１６）ａ２＊−（５／１６）ａ３＊−（１／１６）ａ４＊
ｂｍ＊＝（５／１６）ｂ１＊＋（１５／１６）ｂ２＊−（９５／１６）ｂ３＊−（１／１６）ｂ４＊
と補間される。
【０１１９】
図２２にＣＭＹ３次元についての補間処理の順序の一例を示す。図２２に示す番号１、２、３（それぞれ図２２のローマ数字に対応）順序で補間処理を行うことによってＣＭＹ５×５×５を９×９×９に補間する。更に、ＣＭＹ５×５×５の９×９×９への補間を５つのレベルのすべてについて行った後で、ＣＭＹ９×９×９の各点について、Ｋの５点を９点に補間する計算を図２１に示す方法と同様にして行う。これによって、実際は５×５×５＝１２５点のパッチしか測定していないにも拘わらず９×９×９＝７２９点まで拡張してＣＭＹの組合せについてＬ＊ａ＊ｂ＊表色系の値を求めることができ、これらのＣＭＹの組に合せとＬ＊ａ＊ｂ＊表色系の値とを関連付けＣＭＹ階調値→Ｌ＊ａ＊ｂ＊  ＬＵＴとする。
【０１２０】
次に、ＬＵＴ作成手段１９は、ＣＭＹ階調値→Ｌ＊ａ＊ｂ＊  ＬＵＴに基づきＬ＊ａ＊ｂ＊→ＣＭＹ階調値  ＬＵＴを作成する（Ｓ４３）。Ｌ＊ａ＊ｂ＊→ＣＭＹ階調値  ＬＵＴは、図２３に示すように３次元入力／３次元出力ＬＵＴであり、３３×３３×３３の格子点の間の点について補間を行って変換する。
【０１２１】
図２３の３次元入力／３次元出力ＬＵＴを求める方法を説明する。簡単のため、基本色をＣ、Ｍの２色として説明する。なお、Ｃ、Ｍ、Ｙはいずれも０〜２５５の値をとるものとする。
【０１２２】
先ず、前述のＣＭＹ→Ｌ＊ａ＊ｂ＊  ＬＵＴのＣ×Ｍ×Ｙ：９×９×９の３次元データを用いて、Ｌ＊ａ＊ｂ＊→ＣＭＹ  ＬＵＴを計算する。図２４は、ＣＭＹの内のＭとＣの２次元９×９の組合せ（Ｙ＝０）について、縦軸にＬ＊を横軸にａ＊をプロットしたものである。実際には３次元であるが簡単のため２次元で示す。
【０１２３】
このＣＭＹの分布に対して、求めようとするターゲット点［Ｌ＊（０〜１００）ａ＊（−１２７〜１２８）ｂ＊（−１２７〜１２８）：３３×３３×３３＝３５９３７の各ＬＵＴ入力点］のＬ＊ａ＊ｂ＊が目標値Ｔ’として与えられる。目標値Ｔ’が図２４に示すように格子点ａ’〜ｄ’で囲まれる領域にあるとき、ＭＣの座標系におけるＭＣの組合せ（目標値Ｔ）は図２５に示すように格子点ａ〜ｄで囲まれる領域内にあるものと推定される。そして、目標値Ｔが格子点ａ〜ｄによって形成される領域のどこにあるかは、図２４の表色系を図２５の座標系に対応付けながら、収束演算処理をして求める。このように収束演算処理をするのは、図２５の座標系から図２４の表色系への変換が既知であるにもかかわらずこの逆の変換は非常に複雑で未だ良好な変換式が知られていないためである。
【０１２４】
次に、図２６の格子点ａ〜ｄによって形成される領域Ｓｏを４つの領域Ｓ１〜Ｓ４に等分する。５個の分割点ｅ〜ｉは、既に求められている周囲の格子点を利用して重み平均によって算出する。そして、この分割点ｅ〜ｉに対応する値をＬ＊ａ＊ｂ＊表色系に変換したときの値を図２７の表色系にプロットし、プロットされた分割点ｅ’〜ｉ’によって形成された４つの領域Ｓ１’〜Ｓ４’のうちどの領域に目標値Ｔ’があるかを求める。図２７に示すように領域Ｓ２’にあるときには、図２６に示すように目標値Ｔは領域Ｓ２’に対応したＳ２にあるものと推定する。
【０１２５】
つぎに推定された領域Ｓ２をＳ５〜Ｓ８に等分する。５個の分割点ｊ〜ｎは既に求められていつ周囲の格子点又は分割点を利用して重み平均によって算出する。そして、この分割点ｊ〜ｎに対応する値をＬ＊ａ＊ｂ＊表色系に変換したときの値を図２７の表色系にプロットし、プロットされた分割点ｊ’〜ｎ’によって形成された４つの領域Ｓ５’〜Ｓ８’のうちどの領域に目標値Ｔ’があるかを求める。図２７に示すように領域Ｓ８’にあるときには、図２６に示すように目標値Ｔは領域Ｓ８’に対応した領域Ｓ８にあるものと推定する。
【０１２６】
つぎに、推定された領域Ｓ８を４つの領域Ｓ９からＳ１２に等分する。５個の分割点ｏ〜ｓは既に求められていつ周囲の格子点又は分割点を利用して重み平均によって算出する。そして、この分割点ｏ〜ｓに対応する値をＬ＊ａ＊ｂ＊表色系に変換したときの値を図２７の表色系にプロットし、プロットされた分割点ｏ’〜ｓ’によって形成された４つの領域Ｓ９’〜Ｓ１２’のうちどの領域に目標値Ｔ’があるかを求める。図２７に示すように領域Ｓ１０’にあるときには、図２６に示すように目標値Ｔは領域Ｓ１０’に対応した領域Ｓ１０にあるものと推定する。
【０１２７】
以上のような領域の分割を繰り返すことによって格子は次第に小さくなり、ついには収束する。そして、収束した領域を形成する４つの格子点又は分割点を平均することによって目標値Ｔが求められ、従って求めようとする出力色を示す基本色の組合せを求めることができる。
【０１２８】
また、本実施の形態では、上述のような収束演算による方法を記したが、本出願人による特許第２８９５０８６号の明細書に記載されているような補間方法を用いても良い。
【０１２９】
ところで、目標値Ｔ’が図２８に示すようにＬ＊ａ＊ｂ＊表色系の頂点Ｗ’、Ｃ’、Ｍ’、Ｂ’で形成される色再現範囲の外にあるときには、この目標値Ｔ’を色再現範囲に移動する必要がある。この場合、目標値Ｔ’を無彩色方向に移動させ、図２９に示すように無彩色方向の色再現範囲の境界との交点の座標を目標値とし、図３０に示すようにＴ’に対応する目標値Ｔを算出する。
【０１３０】
なお、目標値Ｔ’は必ずしも境界に移動させる必要はなく、色再現範囲内に移動されればよい。また、ここでは説明のためにＣ×Ｍの２次元について例を示したが、実際にはＣ×Ｍ×Ｙの３次元について行い、Ｌ＊ａ＊ｂ＊の３３×３３×３３点の各ＬＵＴ入力点を目標値Ｔ’としてＣ、Ｍ、Ｙの値を１点ずつ計算する必要がある。
【０１３１】
以上のようにして求めたＬ＊ａ＊ｂ＊表色系の値に対応するＣＭＹの組に合せを関連付けて、Ｌ＊ａ＊ｂ＊→ＣＭＹ階調値  ＬＵＴとする。
【０１３２】
次に、階調補正テーブル作成手段１７は、目標色テーブル２４に格納されている印刷機で印刷したＣＭＹグレー（ＣＭＹＫ３次色のＣＭＹ）の表色系の値に対応するＣＭＹの階調値の組み合わせ、すなわち、印刷機で印刷したＣＭＹグレーの色調を校正用カラープリンタで再現するためのＣＭＹの階調値の組み合わせをＬ＊ａ＊ｂ＊→ＣＭＹ階調値  ＬＵＴを用いて求め、ＣＭＹのそれぞれについての階調補正テーブル（２）を作成する（Ｓ４４）。
【０１３３】
例えば、Ｌ＊ａ＊ｂ＊表色系の値をＬ＊＝５７，０、ａ＊＝５．３、ｂ＊＝３．６とすると、Ｌ＊ａ＊ｂ＊：３３×３３×３３→ＣＭＹ  ＬＵＴのＬ＊ａ＊ｂ＊：３３×３３×３３の入力点と、Ｌ＊ａ＊ｂ＊それぞれの入力点への距離は、
Ｌ＊：５７，０／１００×３２＝１８．２なので、Ｌ＊の１つ目の点Ｌ１とＬ１への距離ＤＬ１と、Ｌ＊の２つ目の点Ｌ２とＬ２への距離ＤＬ２は、Ｌ１＝１８、ＤＬ１＝０．２、Ｌ２＝１９、ＤＬ２＝０．８
ａ＊：（５．３＋１２７）／２５５×３２＝１６．６なので、ａ＊の１つ目の点ａ１とａ１への距離ＤＬ１と、ａ＊の２つ目の点ａ２とａ２への距離Ｄａ２は、ａ１＝１６、Ｄａ１＝０．６、ａ２＝１７、Ｄａ２＝０．４
ｂ＊：（３．６＋１２７）／２５５×３２＝１６．４なので、ｂ＊の１つ目の点ｂ１とｂ１への距離ＤＬ１と、ｂ＊の２つ目の点ｂ２とｂ２への距離Ｄｂ２は、ｂ１＝１６、Ｄｂ１＝０．４、ｂ２＝１７、Ｄｂ２＝０．６
となる。
【０１３４】
Ｌ＊ａ＊ｂ＊：３３×３３×３３→ＣＭＹ  ＬＵＴからのＬ＊２点（Ｌ１、Ｌ２）×ａ＊２点（ａ１、ａ２）×ｂ＊２点（ｂ１、ｂ２）＝８点についてのＣＭＹ値を、
ＣＬ１ａ１ｂ１、ＣＬ１ａ１ｂ２、ＣＬ１ａ２ｂ１、ＣＬ１ａ２ｂ２、
ＣＬ２ａ１ｂ１、ＣＬ２ａ１ｂ２、ＣＬ２ａ２ｂ１、ＣＬ２ａ２ｂ２、
ＭＬ１ａ１ｂ１、ＭＬ１ａ１ｂ２、ＭＬ１ａ２ｂ１、ＭＬ１ａ２ｂ２、
ＭＬ２ａ１ｂ１、ＭＬ２ａ１ｂ２、ＭＬ２ａ２ｂ１、ＭＬ２ａ２ｂ２、
ＹＬ１ａ１ｂ１、ＹＬ１ａ１ｂ２、ＹＬ１ａ２ｂ１、ＹＬ１ａ２ｂ２、
ＹＬ２ａ１ｂ１、ＹＬ２ａ１ｂ２、ＹＬ２ａ２ｂ１、ＹＬ２ａ２ｂ２、
とすると、Ｌ＊＝５７，０、ａ＊＝５．３、ｂ＊＝３．６についてのＣＭＹの値は次式によって求められ、
Ｃ＝ＤＬ２×Ｄａ２×Ｄｂ２×ＣＬ１ａ１ｂ１
＋ＤＬ２×Ｄａ２×Ｄｂ１×ＣＬ１ａ１ｂ２
＋ＤＬ２×Ｄａ１×Ｄｂ２×ＣＬ１ａ２ｂ１
＋ＤＬ２×Ｄａ１×Ｄｂ１×ＣＬ１ａ２ｂ２
＋ＤＬ１×Ｄａ２×Ｄｂ２×ＣＬ２ａ１ｂ１
＋ＤＬ１×Ｄａ２×Ｄｂ１×ＣＬ２ａ１ｂ２
＋ＤＬ１×Ｄａ１×Ｄｂ２×ＣＬ２ａ２ｂ１
＋ＤＬ１×Ｄａ１×Ｄｂ１×ＣＬ２ａ２ｂ２
Ｍ＝ＤＬ２×Ｄａ２×Ｄｂ２×ＭＬ１ａ１ｂ１
＋ＤＬ２×Ｄａ２×Ｄｂ１×ＭＬ１ａ１ｂ２
＋ＤＬ２×Ｄａ１×Ｄｂ２×ＭＬ１ａ２ｂ１
＋ＤＬ２×Ｄａ１×Ｄｂ１×ＭＬ１ａ２ｂ２
＋ＤＬ１×Ｄａ２×Ｄｂ２×ＭＬ２ａ１ｂ１
＋ＤＬ１×Ｄａ２×Ｄｂ１×ＭＬ２ａ１ｂ２
＋ＤＬ１×Ｄａ１×Ｄｂ２×ＭＬ２ａ２ｂ１
＋ＤＬ１×Ｄａ１×Ｄｂ１×ＭＬ２ａ２ｂ２
Ｙ＝ＤＬ２×Ｄａ２×Ｄｂ２×ＹＬ１ａ１ｂ１
＋ＤＬ２×Ｄａ２×Ｄｂ１×ＹＬ１ａ１ｂ２
＋ＤＬ２×Ｄａ１×Ｄｂ２×ＹＬ１ａ２ｂ１
＋ＤＬ２×Ｄａ１×Ｄｂ１×ＹＬ１ａ２ｂ２
＋ＤＬ１×Ｄａ２×Ｄｂ２×ＹＬ２ａ１ｂ１
＋ＤＬ１×Ｄａ２×Ｄｂ１×ＹＬ２ａ１ｂ２
＋ＤＬ１×Ｄａ１×Ｄｂ２×ＹＬ２ａ２ｂ１
＋ＤＬ１×Ｄａ１×Ｄｂ１×ＹＬ２ａ２ｂ２
となる。
【０１３５】
上述のようにして、各ＣＭＹグレーのＬ＊ａ＊ｂ＊表色系の値についての、ＣＭＹの階調値の組み合わせを求める。ここでＣＭＹグレーは、ＣＭＹＫ３次色の中のＣＭＹの階調値の組み合わせによる中間色で、目標色テーブル２４に格納されているＣＭＹグレーのＣＭＹの組み合わせは、ＣＭＹの階調値が等しく、２６階調、５１階調、・・・、２０４階調、２３０階調のものであり、ＣＭＹのそれぞれについて、この階調値（２６階調、５１階調、・・・、２０４階調、２３０階調）を入力値とし、対応する求めた階調値を出力値とし、白地は白地に、ベタはベタとなるように、０階調及び２５５階調はそれぞれ０階調及び２５５階調として補正特性を階調補正テーブル（２）として作成する。また、階調補正テーブル（２）の構成は特に図示しないが、図１５に示した階調補正テーブル（１）と同様の構成となる。
【０１３６】
さらに次に、増加比率演算手段１９は、階調補正テーブル（２）に基づいてＣＭＹのそれぞれについて増加比率を補正する（Ｓ４５）。
【０１３７】
例えば、それぞれの階調値を階調補正テーブル（１）で補正した出力側の階調値をさらに階調補正テーブル（２）で補正した場合の出力側の階調値における濃度値と、対象の階調値においてｆＷ、ｆＣｂを画素ｂの増加数に応じて変化させて求められるＸＹＺ値からさらに求められる濃度値とを比較して差が最も小さくなる画素ｂの増加数を増加数（２）として求め、対象の階調値における網点に隣接する画素の数で求めた増加数（２）を除算した結果を、増加比率として求め、画素種別判別情報記憶部２９の階調値−増加比率テーブル２９２を書き換える。また、階調補正テーブル（２）を用いて画素ｂの増減数を求めて、先に求めた増加数（１）を補正することで増加比率の補正を行うことも可能である。
【０１３８】
そして、再び図１１のフローチャートに戻り、網点画像データに基づいて画像形成を行う（Ｓ１７）。図１３には、校正用カラープリンタで行う画像形成の手順の一例を示すフローチャートを示した。画像データ受付手段５で、階調画像データを受け付ける（Ｓ３１）。次に、網点化手段１１は、階調値が補正された階調画像データの網点化を行い、各色版の網点画像データを作成する（Ｓ３２）。そして、画像種別判別手段１２で各色版の網点画像データの網点周縁部の画素について、例えば上述したように３×３のデジタルフィルタを用いて、画素ｂであるか否かの判別を行い（Ｓ３３）、判別結果と網点画像データに基づいて画像データテーブル２６を作成する（Ｓ３４）。さらに、各色版の網点画像データの網点に隣接する画素について、例えば上述したように９×９のデジタルフィルタを用いて、隣接する網点の階調値を推定し、その階調値の増加比率に基づいて画素ｂであるか否かの判別を行い、判別結果を画像データテーブルに反映するとともに、画素ｂとして判別された画素のデータを書き換える（Ｓ３５）。
【０１３９】
そして、画像記録制御手段１３は、画像データテーブル２６に示される各画素の出力するべき色（ＷまたはＣＭＹＫ１／２／３／４次色のうちのいずれか）と、画像種別判別手段１２での判別結果とから、カラーチャンネルテーブル２２を参照してＣＭＹの出力強度の組み合わせを求め、その出力強度の組み合わせで出力するように画像記録部３を制御する（Ｓ３６）。画像記録部３はその制御に従って画像形成を行う（Ｓ３７）。
【０１４０】
上述のようにして、階調画像データを網点化して得られる網点画像データに基づく網点画線部の色を構成する、それぞれ目標とする出力色に合わせた色の画素の色と、目標とする出力色とは色調が異なる色の画素（画素ｂ）とで構成する場合に、目標とする出力色とは色調が異なる色を容易に求めることができ、かつ、ＣＭＹグレーの色調を再現するように各階調に応じて画素ｂの数を調整するので、高精度な色調整を行うことができる。
【０１４１】
また、上述の色演算、カラーチャンネルテーブル生成、もしくは、色調整値の演算をＰＣ（Ｐｅｒｓｏｎａｌ  Ｃｏｍｐｕｔｅｒ）等の情報処理装置を用いて行い、その色演算結果、カラーチャンネルテーブル、もしくは、色調整値をフロッピー（登録商標）ディスク等の媒体を介して校正用カラープリンタが取得し、カラー画像の形成に用いるようにすることも可能である。
【０１４２】
また、ＰＣ等の情報処理装置と校正用カラープリンタとからなる画像出力システムにおいて、上述の色演算機能、カラーチャンネルテーブル生成機能、もしくは、色調整値の演算機能をＰＣ等の情報処理装置に備え、その色演算結果、カラーチャンネルテーブル、もしくは、色調整値をインターフェイスを介して校正用カラープリンタが取得し、カラー画像の形成に用いるようにすることも可能である。
【図面の簡単な説明】
【０１４３】
【図１】印刷される各色とインキの対応関係を示す図である。
【図２】網点画線部の色を構成する各画素の色について説明するための模式図である。
【図３】本発明に係る校正用カラープリンタの構成を示す機能ブロック図である。
【図４】本実施の形態のカラーチャンネルテーブルの構成の一例を示す説明図である。
【図５】本実施の形態の参照テーブルの構成の一例を示す説明図である。
【図６】本実施の形態の目標色テーブルの構成の一例を示す説明図である。
【図７】本実施の形態の面積比テーブルの構成の一例を示す説明図である。
【図８】画素種別判別に用いるデジタルフィルタの一例を説明するための説明図である。
【図９】網点画像データを構成する各画素についてＹＭＣＫの出力の有無及び画素ｂであるか否かを示す画像データテーブルの一例を示す説明図である。
【図１０】本実施の形態の出力色テーブルの構成の一例を示す説明図である。
【図１１】色合わせの目標となる印刷機の出力色に合わせるように色調整を行いカラー画像を形成する手順の一例を示すフローチャートである。
【図１２】画素ａ及び画素ｂのＬ＊ａ＊ｂ＊表色系の値、及び、色調整値を求める手順を示すフローチャートである。
【図１３】校正用カラープリンタで行う画像形成の手順の一例を示すフローチャートである。
【図１４】複数段階の階調値に対し印刷機が出力するＣの中間色のＸｄを示す曲線、及び、校正用カラープリンタが出力するＣの中間色のＸｄを示す曲線を併記したグラフである。
【図１５】本実施の形態の階調補正テーブルの構成の一例を示す説明図である。
【図１６】画素種別判別に用いるデジタルフィルタの一例を説明するための説明図である。
【図１７】本実施の形態の画素数―階調値テーブルの構成の一例を示す説明図である。
【図１８】本実施の形態の階調値―増加比率テーブルの構成の一例を示す説明図である。
【図１９】本実施の形態においてＣＭＹの色の値を表色系の値Ｌ＊ａ＊ｂ＊に変換するＬＵＴの説明図である。
【図２０】本実施の形態においてＣＭＹの色の値を測色するためのカラーパッチ像の一例を示す図である。
【図２１】本実施の形態においてＣＭＹの色の値と表色系の値による軌跡上のサンプル点と補間する点の分布を示した図である。
【図２２】本実施の形態においてＣＭＹの色の組合せを表色系の値に変換する際の補間処理の順番を示した図である。
【図２３】本実施の形態において表色系の値Ｌ＊ａ＊ｂ＊をＣＭＹの色の値に変換するＬＵＴの説明図である。
【図２４】本実施の形態においてＣ、Ｍの表色系の座標における目標値Ｔ’を示す座標図である。
【図２５】本実施の形態においてＣ、Ｍの色の組合せの座標における目標値Ｔを示す座標図である。
【図２６】本実施の形態においてＣ、Ｍの色の組合せの座標における目標値Ｔを推定するための収束演算処理の座標図である。
【図２７】本実施の形態においてＣ、Ｍの表色系の座標における目標値Ｔ’を推定するための収束演算処理の座標図である。
【図２８】本実施の形態において目標値Ｔ’が色再現範囲の外にある場合のＣ、Ｍの表色系の座標における目標値Ｔ’を示す図である。
【図２９】本実施の形態において目標値Ｔ’が色再現範囲の外にある場合のＣ、Ｍの表色系の座標における目標値Ｔ’を示す座標図で、目標値Ｔ’を色再現範囲の内に移動させたことを示す座標図である。
【図３０】本実施の形態において色再現範囲の外にある目標値Ｔ’を色再現範囲の内に移動させた場合のＣ、Ｍの色の組合せの座標における目標値Ｔを示す図である。
【図３１】本実施の形態の階調補正テーブル（２）の作成の手順を示すフローチャートである。
【図３２】本実施の形態の階調補正カーブの一例を示すグラフである。
【図３３】本実施の形態の階調補正テーブル記憶部の構成を示す図である。
【図３４】本実施の形態のＬＵＴ記憶部の構成を示す図である。
【図３５】本実施の形態の画素種別判別情報記憶部の構成を示す図である。
【符号の説明】
【０１４４】
１  制御部
１１  網点化手段
１２  画素種別判別手段
１３  画像記録制御手段
１４  カラーチャンネル演算手段
１５  色演算手段
１７  階調補正テーブル作成手段
１８  面積比テーブル補正手段
１９  増加比率演算手段
２０  ＬＵＴ作成手段
２  記憶部
２１  画像データ記憶部
２２  カラーチャンネルテーブル
２３  ＣＭＹ出力強度−Ｌ＊ａ＊ｂ＊テーブル
２４  目標色テーブル
２５  面積比テーブル
２６  画像データテーブル
２７  出力色テーブル
２８  階調補正テーブル記憶部
２９  画素種別判別情報記憶部
３０  ＬＵＴ記憶部
３  画像記録部
４  入力部
５  画像データ受付手段
【図１】
2006340222.tif 000003
【図２】
2006340222.tif 000004
【図３】
2006340222.tif 000005
【図４】
2006340222.tif 000006
【図５】
2006340222.tif 000007
【図６】
2006340222.tif 000008
【図７】
2006340222.tif 000009
【図８】
2006340222.tif 000010
【図９】
2006340222.tif 000011
【図１０】
2006340222.tif 000012
【図１１】
2006340222.tif 000013
【図１２】
2006340222.tif 000014
【図１３】
2006340222.tif 000015
【図１４】
2006340222.tif 000016
【図１５】
2006340222.tif 000017
【図１６】
2006340222.tif 000018
【図１７】
2006340222.tif 000019
【図１８】
2006340222.tif 000020
【図１９】
2006340222.tif 000021
【図２０】
2006340222.tif 000022
【図２１】
2006340222.tif 000023
【図２２】
2006340222.tif 000024
【図２３】
2006340222.tif 000025
【図２４】
2006340222.tif 000026
【図２５】
2006340222.tif 000027
【図２６】
2006340222.tif 000028
【図２７】
2006340222.tif 000029
【図２８】
2006340222.tif 000030
【図２９】
2006340222.tif 000031
【図３０】
2006340222.tif 000032
【図３１】
2006340222.tif 000033
【図３２】
2006340222.tif 000034
【図３３】
2006340222.tif 000035
【図３４】
2006340222.tif 000036
【図３５】
2006340222.tif 000037